(57)【要約】  測定手順を行う方法が記載される。ＶａｒＭｅａｓＣｏｎｆｉｇ内のｍｅａｓＩｄＬｉｓｔのｍｅａｓＩｄが選択される。チャネル状態情報リファレンス信号（ＣＳＩ‐ＲＳ）に関係する測定識別の自律的除去が行われる。ハンドオーバまたは再確立成功に起因するチャネル状態情報リファレンス信号（ＣＳＩ‐ＲＳ）に関係する測定識別の除去が行われる。
2015526913.tif 000002
【特許請求の範囲】
【請求項１】
測定識別手順を行う方法であって、
チャネル状態情報リファレンス信号（ＣＳＩ‐ＲＳ）に関係するｍｅａｓＩｄの自律的除去を行うステップ
を含む、方法。
【請求項２】
ｍｅａｓＩｄの自律的除去を行うステップは、
ｍｅａｓＩｄに対応するｒｅｐｏｒｔＣｏｎｆｉｇがＣＳＩ‐ＲＳに関わるイベントを対象とするかどうかを判断するステップと；
前記ｍｅａｓＩｄに対応する前記ｒｅｐｏｒｔＣｏｎｆｉｇがＣＳＩ‐ＲＳに関わるイベントを対象とする場合には、ＶａｒＭｅａｓＣｏｎｆｉｇ内のｍｅａｓＩｄＬｉｓｔから前記ｍｅａｓＩｄを除去するステップ
を含む、請求項１に記載の方法。
【請求項３】
前記方法は、前記ＶａｒＭｅａｓＣｏｎｆｉｇ内の前記ｍｅａｓＩｄＬｉｓｔの各ｍｅａｓＩｄにつき行われる、請求項２に記載の方法。
【請求項４】
前記方法は、ユーザ機器（ＵＥ）により行われる、請求項１に記載の方法。
【請求項５】
ＳＣｅｌｌ解放手順を行うステップをさらに含む、請求項１に記載の方法。
【請求項６】
ＳＣｅｌｌ追加／修正手順を行うステップをさらに含む、請求項１に記載の方法。
【請求項７】
測定構成手順を行うステップをさらに含む、請求項１に記載の方法。
【請求項８】
或るサービング周波数のＣＳＩ‐ＲＳに関係するｍｅａｓＩｄの前記自律的除去が、前記対象のサービング周波数が構成されていない場合に行われる、請求項１に記載の方法。
【請求項９】
或るサービングセルのＣＳＩ‐ＲＳに関係するｍｅａｓＩｄの前記自律的除去が、前記対象のサービングセルが構成されていない場合に行われる、請求項１に記載の方法。
【請求項１０】
測定手順を行う方法であって、
ハンドオーバまたは再確立成功に起因するチャネル状態情報リファレンス信号（ＣＳＩ‐ＲＳ）に関係するｍｅａｓＩｄの除去を行うステップ
を含む、方法。
【請求項１１】
前記除去は、ＰＣｅｌｌの変更に関わるハンドオーバまたは再確立成功に起因して行われる、請求項１０に記載の方法。
【請求項１２】
前記除去は、プライマリ周波数の変更に関わるハンドオーバまたは再確立成功に起因して行われる、請求項１０に記載の方法。
【請求項１３】
測定識別手順を行うために構成されたユーザ機器（ＵＥ）であって、
プロセッサと；
前記プロセッサと電子通信するメモリであって、前記メモリに記憶された命令は、
チャネル状態情報リファレンス信号（ＣＳＩ‐ＲＳ）に関係するｍｅａｓＩｄの自律的除去を行う
ために実行可能である、メモリと
を含む、ＵＥ。
【請求項１４】
ｍｅａｓＩｄの自律的除去を行うために実行可能な前記命令は、
ｍｅａｓＩｄに対応するｒｅｐｏｒｔＣｏｎｆｉｇがＣＳＩ‐ＲＳに関わるイベントを対象とするかどうかを判断し；
前記ｍｅａｓＩｄに対応する前記ｒｅｐｏｒｔＣｏｎｆｉｇがＣＳＩ‐ＲＳに関わるイベントを対象とする場合には、ＶａｒＭｅａｓＣｏｎｆｉｇ内のｍｅａｓＩｄＬｉｓｔから前記ｍｅａｓＩｄを除去する
ために実行可能な命令を含む、請求項１３に記載のＵＥ。
【請求項１５】
ｍｅａｓＩｄの自律的除去を行うために実行可能な前記命令は、前記ＶａｒＭｅａｓＣｏｎｆｉｇ内の前記ｍｅａｓＩｄＬｉｓｔの各ｍｅａｓＩｄにつき行われる、請求項１４に記載のＵＥ。
【請求項１６】
前記命令は、ＳＣｅｌｌ解放手順を行うためにさらに実行可能である、請求項１３に記載のＵＥ。
【請求項１７】
前記命令は、ＳＣｅｌｌ追加／修正手順を行うためにさらに実行可能である、請求項１３に記載のＵＥ。
【請求項１８】
前記命令は、測定構成手順を行うためにさらに実行可能である、請求項１３に記載のＵＥ。
【請求項１９】
或るサービング周波数のＣＳＩ‐ＲＳに関係するｍｅａｓＩｄの前記自律的除去が、前記対象のサービング周波数が構成されていない場合に行われる、請求項１３に記載のＵＥ。
【請求項２０】
或るサービングセルのＣＳＩ‐ＲＳに関係するｍｅａｓＩｄの前記自律的除去が、前記対象のサービングセルが構成されていない場合に行われる、請求項１に記載のＵＥ。
【請求項２１】
測定手順を行うために構成されたユーザ機器（ＵＥ）であって、
プロセッサと；
前記プロセッサと電子通信するメモリであって、前記メモリに記憶された命令は、
ハンドオーバまたは再確立成功に起因するチャネル状態情報リファレンス信号（ＣＳＩ‐ＲＳ）に関係するｍｅａｓＩｄの除去を行う
ために実行可能である、メモリと
を含む、ＵＥ。
【請求項２２】
前記除去は、ＰＣｅｌｌの変更に関わるハンドオーバまたは再確立成功に起因して行われる、請求項２１に記載のＵＥ。
【請求項２３】
前記除去は、プライマリ周波数の変更に関わるハンドオーバまたは再確立成功に起因して行われる、請求項２１に記載のＵＥ。
【発明の詳細な説明】
【技術分野】
【０００１】
本発明は、概してワイヤレス通信およびワイヤレス通信関連技術に関する。特に本発明は、複数ポイント協調（ＣｏＭＰ；ｃｏｏｒｄｉｎａｔｅｄ  ｍｕｌｔｉｐｏｉｎｔ）リソース管理（ＣＲＭ；ＣｏＭＰ  ｒｅｓｏｕｒｃｅ  ｍａｎａｇｅｍｅｎｔ）測定のためのシステムおよび方法に関する。
【背景技術】
【０００２】
ワイヤレス通信デバイスは、消費者のニーズを満たし、携帯性および利便性を高めるために、より小型で強力になっている。消費者はワイヤレス通信デバイスに依存するようになり、信頼できるサービス、カバレッジエリアの拡大、機能性の増大を期待するようになっている。ワイヤレス通信システムは、複数のセルに通信を提供することができ、各セルに基地局が対応しうる。基地局は、移動局と通信する固定局でありうる。
【０００３】
ワイヤレス通信の効率および質を高めるために、ワイヤレス通信システムにおいて様々な信号処理技術が利用されうる。Ｒｅｌ‐１０においては、複数のコンポーネントキャリア（ＣＣ；ｃｏｍｐｏｎｅｎｔ  ｃａｒｒｉｅｒｓ）が導入された。複数ポイント協調（ＣｏＭＰ）伝送の利用は、ロングタームエボリューション（ＬＴＥ；Ｌｏｎｇ  Ｔｅｒｍ  Ｅｖｏｌｕｔｉｏｎ）Ｒｅｌｅａｓｅ  １１の大きな機能強化と考えられる。複数ポイント協調（ＣｏＭＰ）伝送の使用の改善により、利益が実現されうる。ワイヤレス通信デバイスによる測定結果報告方法の改善によっても、利益が実現されうる。
【発明の概要】
【課題を解決するための手段】
【０００４】
測定識別手順（ｍｅａｓｕｒｅｍｅｎｔ  ｉｄｅｎｔｉｔｙ  ｐｒｏｃｅｄｕｒｅ）を行う方法が記載される。チャネル状態情報リファレンス信号（ＣＳＩ‐ＲＳ；ｃｈａｎｎｅｌ  ｓｔａｔｅ  ｉｎｆｏｒｍａｔｉｏｎ  ｒｅｆｅｒｅｎｃｅ  ｓｉｇｎａｌ）に関係するｍｅａｓＩｄの自律的除去（ａｕｔｏｎｏｍｏｕｓ  ｒｅｍｏｖａｌ）が行われる。
【０００５】
測定手順（ｍｅａｓｕｒｅｍｅｎｔ  ｐｒｏｃｅｄｕｒｅ）を行う方法も記載される。ハンドオーバ（ｈａｎｄｏｖｅｒ）または再確立成功（ｓｕｃｃｅｓｓｆｕｌ  ｒｅ‐ｅｓｔａｂｌｉｓｈｍｅｎｔ）に起因するチャネル状態情報リファレンス信号（ＣＳＩ‐ＲＳ）に関係するｍｅａｓＩｄの除去が行われる。
【０００６】
測定識別手順を行うために構成されたユーザ機器（ＵＥ；ｕｓｅｒ  ｅｑｕｉｐｍｅｎｔ）が記載される。ユーザ機器（ＵＥ）は、プロセッサと、プロセッサと電子通信するメモリとを含む。メモリに記憶された命令は、チャネル状態情報リファレンス信号（ＣＳＩ‐ＲＳ）に関係するｍｅａｓＩｄの自律的除去を行うために実行可能である。
【０００７】
測定手順を行うために構成されたユーザ機器（ＵＥ）も記載される。ユーザ機器（ＵＥ）は、プロセッサと、プロセッサと電子通信するメモリとを含む。メモリに記憶された命令は、ハンドオーバまたは再確立成功に起因するチャネル状態情報リファレンス信号（ＣＳＩ‐ＲＳ）に関係するｍｅａｓＩｄの除去を行うために実行可能である。
【図面の簡単な説明】
【０００８】
【図１】アップリンク制御情報（ＵＣＩ；ｕｐｌｉｎｋ  ｃｏｎｔｒｏｌ  ｉｎｆｏｒｍａｔｉｏｎ）の多重化を用いたワイヤレス通信システムを示したブロック図である。
【図２】複数ポイント協調（ＣｏＭＰ）伝送を利用しうるワイヤレス通信システムを示したブロック図である。
【図３】ユーザ機器（ＵＥ）により用いられるレイヤを示したブロック図である。
【図４】サイト内複数ポイント協調（ＣｏＭＰ）を用いた同種ネットワークを示したブロック図である。
【図５】高送信電力遠隔無線ヘッド（ＲＲＨ；ｒｅｍｏｔｅ  ｒａｄｉｏ  ｈｅａｄ）を用いた同種ネットワークを示したブロック図である。
【図６】マクロセルカバレージ内の低送信電力遠隔無線ヘッド（ＲＲＨ）を用いたネットワークを示したブロック図である。
【図７】一般化された複数ポイント協調（ＣｏＭＰ）アーキテクチャを示したブロック図である。
【図８】測定構成変数（ｍｅａｓｕｒｅｍｅｎｔ  ｃｏｎｆｉｇｕｒａｔｉｏｎ  ｖａｒｉａｂｌｅ）の構造を示したブロック図である。
【図９】測定報告リスト（ｍｅａｓｕｒｅｍｅｎｔ  ｒｅｐｏｒｔ  ｌｉｓｔ）の構造を示したブロック図である。
【図１０】ＲＲＣ  Ｃｏｎｎｅｃｔｉｏｎ  Ｒｅｃｏｎｆｉｇｕｒａｔｉｏｎメッセージの構造を示したブロック図である。
【図１１】測定識別（ｍｅａｓｕｒｅｍｅｎｔ  ｉｄｅｎｔｉｆｉｃａｔｉｏｎ）と測定対象と報告構成（ｒｅｐｏｒｔ  ｃｏｎｆｉｇｕｒａｔｉｏｎ）とを含む測定構成（ｍｅａｓｕｒｅｍｅｎｔ  ｃｏｎｆｉｇｕｒａｔｉｏｎ）を示したブロック図である。
【図１２】複数ポイント協調（ＣｏＭＰ）リソース管理（ＣＲＭ）測定に関係する測定識別自律的除去の方法を示した流れ図である。
【図１３】測定識別自律的除去の方法を示した流れ図である。
【図１４】測定識別自律的除去の別の方法を示した流れ図である。
【図１５】ハンドオーバまたは再確立時に行われるアクションに関係する方法を示した流れ図である。
【図１６】ハンドオーバまたは再確立時のアクションを行う方法を示した流れ図である。
【図１７】ハンドオーバまたは再確立時のアクションを行う別の方法を示した流れ図である。
【図１８】ＶａｒＭｅａｓＣｏｎｆｉｇ内のｍｅａｓＩｄＬｉｓｔのｍｅａｓＩｄ値を更新する方法を示した流れ図である。
【図１９】リンク手順を行う方法を示した流れ図である。
【図２０】ハンドオーバまたは再確立時のアクションを行うさらに別の方法を示した流れ図である。
【図２１】リンク手順を行う別の方法を示した流れ図である。
【図２２】ハンドオーバまたは再確立時のアクションを行う別の方法を示した流れ図である。
【図２３】ユーザ機器（ＵＥ）において利用されうる様々な構成要素を示した図である。
【図２４】ｅＮＢにおいて利用されうる様々な構成要素を示した図である。
【図２５】複数ポイント協調リソース管理（ＣＲＭ）測定のためのシステムおよび方法が実装されうるユーザ機器（ＵＥ）の一構成を示したブロック図である。
【図２６】複数ポイント協調リソース管理（ＣＲＭ）測定のためのシステムおよび方法が実装されうるｅＮＢの一構成を示したブロック図である。
【発明を実施するための形態】
【０００９】
「３ＧＰＰ」とも呼称される第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムのグローバルに適用可能な技術仕様書および技術報告書を定めることを目指す協力合意である。３ＧＰＰは、次世代モバイルネットワーク、システムおよびデバイスのための仕様書を定めうる。
【００１０】
３ＧＰＰ  Ｌｏｎｇ  Ｔｅｒｍ  Ｅｖｏｌｕｔｉｏｎ（ＬＴＥ）は、ユニバーサル移動体通信システム（ＵＭＴＳ；Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）携帯電話またはデバイス規格を改善して将来的要求に対処するためのプロジェクトに与えられた名称である。一面ではＵＭＴＳは、発展型ユニバーサル地上無線アクセス（Ｅ‐ＵＴＲＡ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および発展型ユニバーサル地上無線アクセスネットワーク（Ｅ‐ＵＴＲＡＮ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のためのサポートおよび仕様を提供するように修正されている。
【００１１】
本明細書に開示されるシステムおよび方法の少なくとも一部の態様は、３ＧＰＰ  ＬＴＥおよびＬＴＥ‐Ａｄｖａｎｃｅｄ規格（例えばＲｅｌｅａｓｅ‐８、Ｒｅｌｅａｓｅ‐９、Ｒｅｌｅａｓｅ‐１０およびＲｅｌｅａｓｅ‐１１）に関して記載されうる。しかし、本開示の範囲は、この点に関して制限されてはならない。本明細書に開示されるシステムおよび方法の少なくとも一部の態様は、他のタイプのワイヤレス通信システムで利用されうる。
【００１２】
ＬＴＥ  Ｒｅｌｅａｓｅ‐１１では、複数ポイント協調（ＣｏＭＰ）伝送の利用は大きな機能強化である。複数ポイント協調（ＣｏＭＰ）伝送においては、ユーザ機器（ＵＥ）が、地理的に分離された複数のアンテナ（本明細書においてポイントと称する）からダウンリンク信号を受信することが可能でありうる。ポイントは、同じ基地局または異なる基地局に配置されうる。ポイントは、基地局に接続されるが、基地局とは異なる地理的位置にあってもよい。さらに、ユーザ機器（ＵＥ）によるアップリンク伝送が複数のポイントにより受信されうる。同じサイトのセクタは、異なるポイントに対応しうる。
【００１３】
ｅＮＢが各ポイントを制御しうる。１つまたは複数のｅＮＢが存在しうる。ｅＮＢの１つを、サービングｅＮＢと呼称しうる。サービングｅＮＢは、ベースバンド処理およびスケジューリング等、処理の大部分を行いうる。アンテナのいくつかが同じｅＮＢに配置されうるため、ｅＮＢはポイントであることもできる。サービングｅＮＢは、１つまたは複数のセルを制御しうる。１つのセルが、サービングセルに指定されうる。セルのサービングセルとしての指定は、時間とともに動的に変化しうる。各セルにおける伝送または受信に１つ以上のポイントが使用されうる。
【００１４】
アンテナポートは、アンテナポート上のシンボルを伝達するチャネルが、同じアンテナポート上の別のシンボルを伝達するチャネルから推測されうるように定義されうる。アンテナポート毎に１つのリソースグリッド（時間‐周波数）がありうる。アンテナポートにより、多入力多出力（ＭＩＭＯ；ｍｕｌｔｉｐｌｅ‐ｉｎｐｕｔ  ａｎｄ  ｍｕｌｔｉｐｌｅ‐ｏｕｔｐｕｔ）システムの複数のレイヤが実現されうる。ポイントは、ユーザ機器（ＵＥ）にトランスペアレントでありうる。ユーザ機器（ＵＥ）にはアンテナポートが識別可能である。アンテナポートは、１つのポイントのアンテナもしくはアンテナのセット、または異なるポイントのアンテナのセットにより実現されうる。しかし、ｅＮＢから見るとポイントが識別可能である。したがって、ポイントからユーザ機器（ＵＥ）への伝送においては、ｅＮＢから見ると、ｅＮＢは伝送に関与するアンテナポートにどのポイント（単数または複数）が使用されるかを知っている。
【００１５】
各ポイントからユーザ機器（ＵＥ）へのダウンリンク伝送を協調させることにより、ダウンリンク性能を有意に向上させうる。同様に、ユーザ機器（ＵＥ）からのアップリンク伝送を協調させることにより、複数のポイントが複数の受信を活用してアップリンク性能を有意に改善させうる。複数ポイント協調（ＣｏＭＰ）伝送においては、各協調ポイントのチャネル状態情報（ＣＳＩ；ｃｈａｎｎｅｌ  ｓｔａｔｅ  ｉｎｆｏｒｍａｔｉｏｎ）は、Ｒｅｌｅａｓｅ‐１０と同じフォーマットまたは新規のフォーマットで別々または一緒に報告されうる。
【００１６】
複数ポイント協調（ＣｏＭＰ）伝送の使用により、ＬＴＥワイヤレスブロードバンドネットワークおよび３Ｇネットワークの一貫したサービス品質およびスループットを確保しながら、アップリンクおよびダウンリンクデータ伝送速度を高めうる。アップリンクおよびダウンリンクの両方で複数ポイント協調（ＣｏＭＰ）伝送が使用されうる。
【００１７】
協調スケジューリング／協調ビームフォーミング（ＣＳ／ＣＢ；ｃｏｏｒｄｉｎａｔｅｄ  ｓｃｈｅｄｕｌｉｎｇ／ｃｏｏｒｄｉｎａｔｅｄ  ｂｅａｍｆｏｒｍｉｎｇ）および共同プロセッシング（ＪＰ；ｊｏｉｎｔ  ｐｒｏｃｅｓｓｉｎｇ）の、２つの主な複数ポイント協調（ＣｏＭＰ）伝送方法が検討されている。協調スケジューリング／協調ビームフォーミング（ＣＳ／ＣＢ）では、伝送のスケジューリング（ビームフォーミング機能を含む）がポイント（すなわちサービング複数ポイント協調（ＣｏＭＰ）協働セットのポイント）間で動的に協調されて、異なる複数ポイント協調（ＣｏＭＰ）および非複数ポイント協調（ＣｏＭＰ）伝送の間の干渉が制御／減少されうる。共同プロセッシング（ＪＰ）（共同伝送（ＪＴ；ｊｏｉｎｔ  ｔｒａｎｓｍｉｓｓｉｏｎ）とも呼称される）においては、１つの伝送ポイントのみによりユーザ機器（ＵＥ）にデータが伝送されうる。動的ポイントブランキングを含む動的ポイント選択（ＤＰＳ；Ｄｙｎａｍｉｃ  ｐｏｉｎｔ  ｓｅｌｅｃｔｉｏｎ）も使用されうる。
【００１８】
さらに、様々な手順（例えば無線リソース制御（ＲＲＭ；ｒａｄｉｏ  ｒｅｓｏｕｒｃｅ  ｃｏｎｔｒｏｌ）接続手順）において複数ポイント協調（ＣｏＭＰ）リソース管理（ＣＲＭ）測定が使用されうる。ハンドオーバ、再確立、ＳＣｅｌｌ解放および他の無線リソース制御（ＲＲＣ；ｒａｄｉｏ  ｒｅｓｏｕｒｃｅ  ｃｏｎｔｒｏｌ）タイプの手順に関係する動作において、複数ポイント協調（ＣｏＭＰ）リソース管理（ＣＲＭ）測定が使用されうる。複数ポイント協調（ＣｏＭＰ）リソース管理（ＣＲＭ）の実装によって、測定構成の更新がより効率的になりうる。
【００１９】
本明細書において「同時」という用語は、２つ以上のイベントが重なり合う時間フレームに生起する状況を表すために使用されうる。換言すれば、２つの「同時」のイベントは、時間的にある程度重なりうるが、必ずしも同じ持続時間ではない。さらに、同時のイベントは、同じ時に開始または終了してもよいし、してなくてもよい。
【００２０】
図１は、アップリンク制御情報（ＵＣＩ）の多重化を使用したワイヤレス通信システム１００を示したブロック図である。ｅＮＢ１０２は、１つ以上のユーザ機器（ＵＥ）１０４とワイヤレス通信しうる。ｅＮＢ１０２は、アクセスポイント、Ｎｏｄｅ  Ｂ、イボルブドＮｏｄｅ  Ｂ、基地局または何らかの他の用語で呼称されうる。同様に、ユーザ機器（ＵＥ）１０４は、移動局、加入者局、アクセス端末、遠隔局、ユーザ端末、端末、ハンドセット、加入者ユニット、ワイヤレス通信デバイス、または何らかの他の用語で呼称されうる。
【００２１】
ユーザ機器（ＵＥ）１０４とｅＮＢ１０２との間の通信は、アップリンクおよびダウンリンクを含むワイヤレスリンクによる伝送を用いて達成されうる。アップリンクとは、ユーザ機器（ＵＥ）１０４からｅＮＢ１０２に送信される通信をいう。ダウンリンクとは、ｅＮＢ１０２からユーザ機器（ＵＥ）１０４に送信される通信をいう。通信リンクは、単入力単出力（ＳＩＳＯ；ｓｉｎｇｌｅ‐ｉｎｐｕｔ  ａｎｄ  ｓｉｎｇｌｅ‐ｏｕｔｐｕｔ）、多入力単出力（ＭＩＳＯ；ｍｕｌｔｉｐｌｅ‐ｉｎｐｕｔ  ａｎｄ  ｓｉｎｇｌｅ‐ｏｕｔｐｕｔ）、単入力多出力（ＳＩＭＯ；ｓｉｎｇｌｅ‐ｉｎｐｕｔ  ａｎｄ  ｍｕｌｔｉｐｌｅ‐ｏｕｔｐｕｔ）、または多入力多出力（ＭＩＭＯ；ｍｕｌｔｉｐｌｅ‐ｉｎｐｕｔ  ａｎｄ  ｍｕｌｔｉｐｌｅ‐ｏｕｔｐｕｔ）システムを用いて確立されうる。ＭＩＭＯシステムは、複数の伝送および受信アンテナを備えた伝送器および受信器の両方を含みうる。したがってｅＮＢ１０２は複数のアンテナ１１０ａ〜ｎを有することができ、ユーザ機器（ＵＥ）１０４は複数のアンテナ１１２ａ〜ｎを有することができる。このようにして、ｅＮＢ１０２およびユーザ機器（ＵＥ）１０４がそれぞれＭＩＭＯシステムにおいて伝送器または受信器として動作しうる。ＭＩＭＯシステムの一つの利点は、複数の伝送および受信アンテナにより生成される追加の次元が利用される場合の性能の向上である。
【００２２】
ユーザ機器（ＵＥ）１０４は、１つ以上の物理アンテナ１１２ａ〜ｎにより実現されうる１つ以上のアンテナポートを使用してｅＮＢ１０２と通信する。ユーザ機器（ＵＥ）１０４は、トランシーバ１３２、デコーダ１２４、エンコーダ１２８および動作モジュール１１６を含みうる。トランシーバ１３２は、受信器１３３および伝送器１３５を含みうる。受信器１３３は、１つ以上のアンテナ１１２ａ〜ｎを使用してｅＮＢ１０２から信号を受信しうる。例えば、受信器１３３は、復調器１３４を使用して受信信号を受信および復調しうる。伝送器１３５は、１つ以上の物理アンテナ１１２ａ〜ｎにより実現されうる１つ以上のアンテナポートを使用してｅＮＢ１０２に信号を伝送しうる。例えば伝送器１３５は、変調器１３６を使用して信号を変調し、変調信号を伝送しうる。
【００２３】
受信器１３３は、復調信号をデコーダ１２４に提供しうる。ユーザ機器（ＵＥ）１０４はデコーダ１２４を用いて信号を復号し、ダウンリンク復号結果１２６を生成しうる。ダウンリンク復号結果１２６は、データが正しく受信されたかを示しうる。例えば、ダウンリンク復号結果１２６は、パケットが正しく受信されたか誤って受信されたか（すなわち肯定応答、否定応答または不連続伝送（無信号））を示しうる。
【００２４】
動作モジュール１１６はユーザ機器（ＵＥ）１０４の通信を制御するために使用されるソフトウェアおよび／またはハードウェアモジュールでありうる。例えば、動作モジュール１１６は、ユーザ機器（ＵＥ）１０４がｅＮＢ１０２と通信するためのリソースを必要とする時を判断しうる。
【００２５】
第３世代パートナーシッププロジェクト（３ＧＰＰ）ロングタームエボリューション（ＬＴＥ）‐Ａｄｖａｎｃｅｄでは、ＭＩＭＯおよびキャリアアグリゲーションに対応するために制御チャネルにより追加の制御フィードバックが送信されなければならない。キャリアアグリゲーションとは、隣接または離間して配置された複数のコンポーネントキャリア（ＣＣ；ｃｏｍｐｏｎｅｎｔ  ｃａｒｒｉｅｒｓ）（またはセル）によるデータ伝送をいう。物理アップリンク制御チャネル（ＰＵＣＣＨ；ｐｈｙｓｉｃａｌ  ｕｐｌｉｎｋ  ｃｏｎｔｒｏｌ  ｃｈａｎｎｅｌ）または物理アップリンクシェアドチャネル（ＰＵＳＣＨ；ｐｈｙｓｉｃａｌ  ｕｐｌｉｎｋ  ｓｈａｒｅｄ  ｃｈａｎｎｅｌ）を用いて、ハイブリッド自動再送要求（ＡＲＱ；ａｕｔｏｍａｔｉｃ  ｒｅｐｅａｔ  ａｎｄ  ｒｅｑｕｅｓｔ）応答（ＨＡＲＱ‐ＡＣＫ；ｈｙｂｒｉｄ  ＡＲＱ  ａｃｋｎｏｗｌｅｄｇｅｍｅｎｔ）の肯定応答および否定応答（ＡＣＫ／ＮＡＣＫ；ｐｏｓｉｔｉｖｅ‐ａｃｋｎｏｗｌｅｄｇｅ／ｎｅｇａｔｉｖｅ‐ａｃｋｎｏｗｌｅｄｇｅ）ビットならびに他の制御情報が伝送されうる。キャリアアグリゲーション（ＣＡ；ｃａｒｒｉｅｒ  ａｇｇｒｅｇａｔｉｏｎ）では、物理アップリンク制御チャネル（ＰＵＣＣＨ）を用いた伝送に１つのアップリンクコンポーネントキャリア（ＣＣ）（またはセル）（すなわちＰＣＣまたはＰＣｅｌｌ）だけが利用されうる。コンポーネントキャリア（ＣＣ）は、セルが帰属するキャリヤ周波数である。
【００２６】
ユーザ機器（ＵＥ）１０４は、アップリンクでｅＮＢ１０２にアップリンク制御情報（ＵＣＩ）１２０ａを伝送しうる。アップリンク制御情報（ＵＣＩ）１２０ａは、チャネル状態情報（ＣＳＩ）、スケジューリングリクエスト（ＳＲ；ｓｃｈｅｄｕｌｉｎｇ  ｒｅｑｕｅｓｔ）およびハイブリッド自動再送要求応答（ＨＡＲＱ‐ＡＣＫ）を含みうる。ＨＡＲＱ‐ＡＣＫは、ＨＡＲＱ動作に対するＡＣＫ（肯定応答）および／またはＮＡＣＫ（否定応答）および／またはＤＴＸ（ｄｉｓｃｏｎｔｉｎｕｏｕｓ  ｔｒａｎｓｍｉｓｓｉｏｎ，不連続伝送）応答を意味し、ＡＣＫ／ＮＡＣＫとしても知られる。伝送が成功の場合、ＨＡＲＱ‐ＡＣＫは１の論理値を有し、伝送が不成功の場合、ＨＡＲＱ‐ＡＣＫは０の論理値を有しうる。チャネル状態情報（ＣＳＩ）は、チャネル品質指標（ＣＱＩ；ｃｈａｎｎｅｌ  ｑｕａｌｉｔｙ  ｉｎｄｉｃａｔｏｒ）、プリコーディングマトリクス指標（ＰＭＩ；ｐｒｅｃｏｄｉｎｇ  ｍａｔｒｉｘ  ｉｎｄｉｃａｔｏｒ）、プリコーディングタイプ指標（ＰＴＩ；ｐｒｅｃｏｄｉｎｇ  ｔｙｐｅ  ｉｎｄｉｃａｔｏｒ）および／またはランク指標（ＲＩ；ｒａｎｋ  ｉｎｄｉｃａｔｉｏｎ）を含む。
【００２７】
アップリンク制御情報（ＵＣＩ）報告モジュール１１８によりアップリンク制御情報（ＵＣＩ）１２０ａが生成され、エンコーダ１２８へ転送されうる。動作モジュール１１６は、無線リソース管理（ＲＲＭ）測定報告１２２ａも生成しうる。無線リソース管理（ＲＲＭ）測定報告１２２ａは、エンコーダ１２８に提供されうる。その後エンコーダ１２８は、伝送のためのアップリンク制御情報（ＵＣＩ）１２０および無線リソース管理（ＲＲＭ）報告１２２ａを伝送器１３５に提供しうる。一構成では、無線リソース管理（ＲＲＭ）報告１２２ａは、無線リソース制御（ＲＲＣ）レイヤで処理され、アップリンク制御情報（ＵＣＩ）１２０ａは、物理（ＰＨＹ）レイヤで処理されうる。複数ポイント協調（ＣｏＭＰ）リソース管理（ＣＲＭ）測定において、無線リソース管理（ＲＲＭ）報告が使用されうる。
【００２８】
時間および周波数リソースは量子化されて、時間‐周波数グリッドとして知られるグリッドが生成されうる。時間領域では、１０ミリ秒（ｍｓ）が１ラジオフレームと呼称される。１ラジオフレームには、アップリンクおよび／またはダウンリンクの伝送の持続時間である１ｍｓの持続時間をそれぞれ有する１０個のサブフレームが含まれうる。サブフレームはいずれも、０．５ｍｓの持続時間をそれぞれ有する２つのスロットに分割されうる。各スロットは、７個のシンボルに分割されうる。周波数領域は、サブキャリアと呼称される１５キロヘルツ（ｋＨｚ）幅を有する帯域に分割されうる。１つのリソース要素は時間領域で１シンボルの持続時間、周波数領域で１サブキャリアの帯域幅を有する。
【００２９】
任意の所与のサブフレームにおけるアップリンクまたはダウンリンクの情報伝送のために配分されうるリソースの最低量は、２リソースブロック（ＲＢ；ｒｅｓｏｕｒｃｅ  ｂｌｏｃｋ）であり、各スロットで１ＲＢである。１ＲＢは時間領域に０．５ｍｓ（７シンボルまたは１スロット）の持続時間および周波数領域に１２サブキャリア（１８０ｋＨｚ）の帯域幅を有する。任意の所与のサブフレームで、最大２ＲＢ（各スロットで１ＲＢ）が所与のユーザ機器（ＵＥ）１０４により物理アップリンク制御チャネル（ＰＵＣＣＨ）でのアップリンク制御情報（ＵＣＩ）の伝送に使用されうる。
【００３０】
ＬＴＥ  Ｒｅｌｅａｓｅ‐８では、各ユーザ機器（ＵＥ）１０４との間の伝送および受信のために、１つのアップリンクコンポーネントキャリア（ＣＣ）１０６またはセル１０７および１つのダウンリンクコンポーネントキャリア（ＣＣ）１０８またはセル１０７だけが使用可能である。
【００３１】
３ＧＰＰロングタームエボリューション（ＬＴＥ）Ｒｅｌｅａｓｅ‐１０（ＬＴＥ‐ＡまたはＡｄｖａｎｃｅｄ  ＥＵＴＲＡＮ）では、キャリアアグリゲーションが導入された。キャリアアグリゲーションは、セルアグリゲーションとも呼称されうる。キャリアアグリゲーションは、最大５つのコンポーネントキャリア（ＣＣ）１０６、１０８により、アップリンクおよびダウンリンクの両方でサポートされる。各コンポーネントキャリア（ＣＣ）１０６、１０８またはセル１０７は、１１０リソースブロック（すなわち最大２０メガヘルツ（ＭＨｚ））までの伝送帯域幅を有しうる。キャリアアグリゲーションでは、２つ以上のコンポーネントキャリア（ＣＣ）１０６、１０８が束ねられて、１００メガヘルツ（ＭＨｚ）までのより幅広の伝送帯域幅がサポートされる。ユーザ機器（ＵＥ）１０４は、ユーザ機器（ＵＥ）１０４の能力に応じて、１つまたは複数のコンポーネントキャリア（ＣＣ）１０６、１０８で同時に受信および／または伝送しうる。
【００３２】
ユーザ機器（ＵＥ）１０４は、複数のコンポーネントキャリア（ＣＣ）１０８を同一時に使用してｅＮＢ１０２と通信しうる。例えば、ユーザ機器（ＵＥ）１０４は、プライマリセル（ＰＣｅｌｌ；ｐｒｉｍａｒｙ  ｃｅｌｌ）１０７ａを使用してｅＮＢ１０２と通信しながら、同時にセカンダリセル（ＳＣｅｌｌ；ｓｅｃｏｎｄａｒｙ  ｃｅｌｌ）（単数または複数）１０７ｂを使用してｅＮＢ１０２と通信しうる。同様に、ｅＮＢ１０２は、複数のコンポーネントキャリア（ＣＣ）１０８を同一時に使用してユーザ機器（ＵＥ）１０４と通信しうる。例えばｅＮＢ１０２は、プライマリセル（ＰＣｅｌｌ）１０７ａを使用してユーザ機器（ＵＥ）１０４と通信しながら、同時にセカンダリセル（ＳＣｅｌｌ）（単数または複数）１０７ｂを使用してユーザ機器（ＵＥ）１０４と通信しうる。
【００３３】
ｅＮＢ１０２は、受信器１３８と伝送器１４０とを含むトランシーバ１３７を含みうる。加えてｅＮＢ１０２は、デコーダ１４２、エンコーダ１４４および動作モジュール１４６を含みうる。ｅＮＢ１０２は、１つ以上の物理アンテナ１１０ａ〜ｎにより実現されうる１つ以上のアンテナポートとその受信器１３８を用いてアップリンク制御情報（ＵＣＩ）１２０ｂおよび無線リソース管理（ＲＲＭ）測定報告１２２ｂを受信しうる。受信器１３８は、復調器１３９を用いてアップリンク制御情報（ＵＣＩ）１２０ｂおよび無線リソース管理（ＲＲＭ）測定報告１２２ｂを復調しうる。
【００３４】
デコーダ１４２は、アップリンク制御情報（ＵＣＩ）受信モジュール１４３を含みうる。ｅＮＢ１０２は、アップリンク制御情報（ＵＣＩ）受信モジュール１４３を用いてｅＮＢ１０２が受信したアップリンク制御情報（ＵＣＩ）１２０ｂを復号および解釈しうる。ｅＮＢ１０２は、復号されたアップリンク制御情報（ＵＣＩ）１２０ｂを用いて、ユーザ機器（ＵＥ）１０４のためにスケジューリングされた通信リソースに基づいて１つ以上のパケットを再伝送するなど、ある動作を実行しうる。デコーダ１４２は、無線リソース管理（ＲＲＭ）測定報告１２２ｂも復号しうる。無線リソース制御（ＲＲＣ）レイヤにおけるセル間モビリティ管理の目的で、無線リソース管理（ＲＲＭ）測定報告（ｍｅａｓｕｒｅｍｅｎｔ  ｒｅｐｏｒｔ）１２２ｂが定義されうる。無線リソース管理（ＲＲＭ）測定報告１２２ｂを用いて、物理レイヤでの複数ポイント協調（ＣｏＭＰ）伝送ポイントが効率的に選択され、および／または効率的なチャネル状態情報（ＣＳＩ）測定セットが選択されうる。
【００３５】
動作モジュール１４６は、再伝送モジュール１４７およびスケジューリングモジュール１４８を含みうる。再伝送モジュール１４７は、アップリンク制御情報（ＵＣＩ）１２０ｂに基づいてどのパケット（あれば）を再伝送するかを判断しうる。スケジューリングモジュール１４８は、通信リソース（例えば帯域幅、時間スロット、周波数チャネル、空間チャネルなど）をスケジューリングするためにｅＮＢ１０２により用いられうる。スケジューリングモジュール１４８は、アップリンク制御情報（ＵＣＩ）１２０ｂを用いて、ユーザ機器（ＵＥ）１０４に通信リソースをスケジューリングするか（およびいつするか）を判断しうる。
【００３６】
動作モジュール１４６からエンコーダ１４４にデータ１４５が提供されうる。例えば、データ１４５には、再伝送するパケットおよび／またはユーザ機器（ＵＥ）１０４のためのスケジューリンググラントが含まれうる。データ１４５がエンコーダ１４４により符号化されてから、伝送器１４０に提供されうる。伝送器１４０は、変調器１４１を用いて符号化されたデータを変調しうる。伝送器１４０は、１つ以上の物理アンテナ１１０ａ〜ｎにより実現されうる１つ以上のアンテナポートを用いて変調データをユーザ機器（ＵＥ）１０４に伝送しうる。
【００３７】
キャリアアグリゲーションが構成される場合には、ユーザ機器（ＵＥ）１０４は、ネットワークとの１つの無線リソース制御（ＲＲＣ）接続だけを有しうる。無線リソース制御（ＲＲＣ）接続確立／再確立／ハンドオーバ時に、１つのサービングセル１０７（すなわちプライマリセル（ＰＣｅｌｌ）１０７ａ）が、非アクセス層（ＮＡＳ；Ｎｏｎ‐Ａｃｃｅｓｓ  Ｓｔｒａｔｕｍ）モビリティ情報（例えばトラッキングエリアＩＤ（ＴＡＩ；Ｔｒａｃｋｉｎｇ  Ａｒｅａ  Ｉｄｅｎｔｉｔｙ））およびセキュリティ入力を提供する。
【００３８】
ダウンリンクでは、プライマリセル（ＰＣｅｌｌ）１０７ａに対応するコンポーネントキャリア（ＣＣ）１０８は、ダウンリンクプライマリコンポーネントキャリア（ＤＬ  ＰＣＣ）１０８ａである。アップリンクでは、プライマリセル（ＰＣｅｌｌ）１０７ａに対応するコンポーネントキャリア（ＣＣ）１０６は、アップリンクプライマリコンポーネントキャリア（ＵＬ  ＰＣＣ；ｕｐｌｉｎｋ  ｐｒｉｍａｒｙ  ｃｏｍｐｏｎｅｎｔ  ｃａｒｒｉｅｒ）１０６ａである。ユーザ機器（ＵＥ）１０４の能力に応じて、１つ以上のセカンダリコンポーネントキャリア（ＳＣＣ；ｓｅｃｏｎｄａｒｙ  ｃｏｍｐｏｎｅｎｔ  ｃａｒｒｉｅｒ）１０６ｂ、１０８ｂまたはセカンダリセル（ＳＣｅｌｌ）１０７ｂが構成されて、プライマリセル（ＰＣｅｌｌ）１０７ａとともにサービングセルのセットを形成しうる。ダウンリンクでは、セカンダリセル（ＳＣｅｌｌ）１０７ｂに対応するコンポーネントキャリア（ＣＣ）１０８は、ダウンリンクセカンダリコンポーネントキャリア（ＤＬ  ＳＣＣ；ｄｏｗｎｌｉｎｋ  ｓｅｃｏｎｄａｒｙ  ｃｏｍｐｏｎｅｎｔ  ｃａｒｒｉｅｒ）１０８ｂである。アップリンクでは、セカンダリセル（ＳＣｅｌｌ）１０７ｂに対応するコンポーネントキャリア（ＣＣ）１０６は、アップリンクセカンダリコンポーネントキャリア（ＵＬ  ＳＣＣ；ｕｐｌｉｎｋ  ｓｅｃｏｎｄａｒｙ  ｃｏｍｐｏｎｅｎｔ  ｃａｒｒｉｅｒ）１０６ｂである。複数のセルが１つのアップリンクコンポーネントキャリア（ＣＣ）１０６を共有しうるため、ダウンリンクコンポーネントキャリア（ＣＣ）１０８の数は、アップリンクコンポーネントキャリア（ＣＣ）１０６の数と異なりうる。
【００３９】
キャリアアグリゲーションが構成される場合、ユーザ機器（ＵＥ）１０４は、プライマリセル（ＰＣｅｌｌ）１０７ａおよび１つ以上のセカンダリセル（ＳＣｅｌｌ）１０７ｂの、複数のサービングセルを有しうる。ネットワークの観点からは、サービングセル１０７が、１つのユーザ機器（ＵＥ）１０４によりプライマリセル（ＰＣｅｌｌ）１０７ａとして使用され、別のユーザ機器（ＵＥ）１０４によりセカンダリセル（ＳＣｅｌｌ）１０７ｂとして使用されることができる。キャリアアグリゲーションが構成されない場合、プライマリセル（ＰＣｅｌｌ）１０７ａが単一のサービングセルを動作させる。キャリアアグリゲーションが構成される場合、プライマリセル（ＰＣｅｌｌ）１０７ａに加えて１つ以上のセカンダリセル（ＳＣｅｌｌ）１０７ｂが存在しうる。キャリアアグリゲーションを使用する一つの利点は、追加のダウンリンクおよび／またはアップリンクデータが伝送されうることである。追加のダウンリンクデータの結果、追加のアップリンク制御情報（ＵＣＩ）１２０が必要となりうる。
【００４０】
伝送器および受信器で複数のアンテナポートを用いることにより、各サービングセル１０７でいくつかの空間チャネルが利用可能となりうる。したがって、複数の符号語（最大２つの符号語）が同時に伝送されうる。
【００４１】
各コンポーネントキャリア（ＣＣ）１０６、１０８またはセル１０７につきチャネル状態情報（ＣＳＩ）報告が生成されうる。Ｒｅｌ‐１０では、最大５つのダウンリンクコンポーネントキャリア（ＣＣ）１０８のチャネル状態情報（ＣＳＩ）報告がサポートされうる。チャネル状態情報（ＣＳＩ）報告を用いて、ユーザ機器（ＵＥ）１０４での既存のチャネル条件に基づいて伝送速度（変調スキームおよび符号化速度）を動的に調節するようにｅＮＢ１０２に通知することができる。例えば、チャネル状態情報（ＣＳＩ）報告がユーザ機器（ＵＥ）１０４での良好なチャネル品質を示す場合には、ｅＮＢ１０２は高い変調および符号化速度を選択して、物理ダウンリンクシェアドチャネル（ＰＤＳＣＨ；ｐｈｙｓｉｃａｌ  ｄｏｗｎｌｉｎｋ  ｓｈａｒｅｄ  ｃｈａｎｎｅｌ）によるデータのダウンリンク伝送のより高い伝送速度を達成しうる。チャネル状態情報（ＣＳＩ）報告がユーザ機器（ＵＥ）１０４での不良なチャネル品質を示す場合には、ｅＮＢ１０２は低い変調および符号化速度を選択して、伝送のより高い信頼性を達成しうる。
【００４２】
チャネル状態情報（ＣＳＩ）には、チャネル品質指標（ＣＱＩ）、プリコーディングマトリクス指標（ＰＭＩ）、プリコーディングタイプ指標（ＰＴＩ）および／またはランク指標（ＲＩ）が含まれうる。チャネル状態情報（ＣＳＩ）報告にランク指標（ＲＩ）のみが含まれる場合、チャネル状態情報（ＣＳＩ）報告はランク指標（ＲＩ）報告と呼称されうる。チャネル状態情報（ＣＳＩ）報告にチャネル品質指標（ＣＱＩ）のみが含まれる場合、チャネル状態情報（ＣＳＩ）報告はチャネル品質指標（ＣＱＩ）報告と呼称されうる。チャネル状態情報（ＣＳＩ）報告にプリコーディングマトリクス指標（ＰＭＩ）のみが含まれる場合、チャネル状態情報（ＣＳＩ）報告はプリコーディングマトリクス指標（ＰＭＩ）報告と呼称されうる。
【００４３】
図２は、複数ポイント協調（ＣｏＭＰ）伝送を利用しうるワイヤレス通信システム２００を示したブロック図である。ワイヤレス通信システム２００は、ユーザ機器（ＵＥ）２０４と通信する第一ポイント２０２ａと、ユーザ機器（ＵＥ）２０４と通信する第二ポイント２０２ｂとを含みうる。追加のポイント（図示せず）も、ユーザ機器（ＵＥ）２０４と通信しうる。
【００４４】
ユーザ機器（ＵＥ）２０４と通信する全てのポイント２０２を、伝送ポイント２０２と呼称しうる。本明細書においては簡単のため、複数の伝送ポイント２０２が存在しうる場合であっても１つの伝送ポイント２０２だけに言及する。各ポイント２０２の間には通信リンク２０５があればよい。
【００４５】
本明細書において用いられるところの協働セットは、時間‐周波数リソースでのユーザ機器（ＵＥ）２０４へのデータ伝送に直接および／または間接的に関与する地理的に分離されたポイント２０２のセットをさす。協働セットは、ユーザ機器（ＵＥ）２０４にトランスペアレントであってもなくてもよい。したがって、伝送ポイント２０２のセットは、協働セットのサブセットである。
【００４６】
基地局（ｅＮＢ１０２等）がポイント２０２を制御しうる。ユーザ機器（ＵＥ）２０４とポイント２０２との間の通信は、アップリンク２１１ａ〜ｂおよびダウンリンク２０９ａ〜ｂを含むワイヤレスリンクによる伝送を用いて達成されうる。アップリンク２１１は、ユーザ機器（ＵＥ）２０４から１つ以上のポイント２０２（受信ポイント２０２と呼称される）に送信される通信をいう。ダウンリンク２０９は、１つ以上のポイント２０２（伝送ポイント２０２と呼称される）からユーザ機器（ＵＥ）２０４に送信される通信をいう。受信ポイント２０２のセットは、伝送ポイント２０２のセット内のポイント２０２を含まなくてもよいし、その一部または全てを含んでもよい。同様に、伝送ポイント２０２のセットは、受信ポイント２０２のセット内のポイント２０２を含まなくても良いし、その一部または全てを含んでもよい。ポイント２０２およびユーザ機器（ＵＥ）２０４はそれぞれ、ＭＩＭＯシステムにおいて伝送器または受信器として動作しうる。
【００４７】
近年、複数の伝送ポイント２０２が協働する複数ポイント協調（ＣｏＭＰ）伝送スキームへの関心が高まっている。複数ポイント協調（ＣｏＭＰ）伝送およびマルチユーザＭＩＭＯスキームの両方でいかにフィードバックスキームを向上させるかも議論されている。ポイント２０２は、ユーザ機器（ＵＥ）２０４からのフィードバックに基づいて、複数ポイント協調（ＣｏＭＰ）伝送の使用および使用される複数ポイント協調（ＣｏＭＰ）伝送方法に関する決定を行いうる。ユーザ機器（ＵＥ）２０４により観察されるチャネル条件によって、各セルの複数ポイント協調（ＣｏＭＰ）伝送動作および複数ポイント協調（ＣｏＭＰ）伝送方法が動的に独立して構成されうる。
【００４８】
ユーザ機器（ＵＥ）２０４には、測定モジュール２４９が含まれうる。測定モジュール２４９には、測定構成２５０が含まれうる。測定構成２５０は、測定報告２５２を生成しネットワークに伝送するユーザ機器（ＵＥ）２０４の設定を定義しうる。ユーザ機器（ＵＥ）２０４のフィードバックモジュール２５１が、測定報告２５２を生成しうる。その後、ユーザ機器（ＵＥ）２０４が測定報告をＥ‐ＵＴＲＡＮ（例えばサービングｅＮＢ１０２、隣接ｅＮＢ１０２および／またはネットワーク）に伝送しうる。より具体的には、Ｒｅｌ‐１１では、複数ポイント協調（ＣｏＭＰ）リソース管理（ＣＲＭ）測定が導入され、物理レイヤにおいて、効率的な複数ポイント協調（ＣｏＭＰ）伝送ポイントの設定が達成されるか、および／または効率的なチャネル状態情報（ＣＳＩ）測定セットが選択される。Ｒｅｌ‐１０では、無線リソース管理（ＲＲＭ）測定は、セル固有リファレンス信号（ＣＲＳ；ｃｅｌｌ−ｓｐｅｃｉｆｉｃ  ｒｅｆｅｒｅｎｃｅ  ｓｉｇｎａｌ）に基づくリファレンス信号受信電力（ＲＳＲＰ）／リファレンス信号受信品質（ＲＳＲＱ）測定のみをサポートしうる。
【００４９】
複数ポイント協調（ＣｏＭＰ）リソース管理（ＣＲＭ）測定では、伝送ポイントのチャネルを測定するために１つ以上のチャネル状態情報リファレンス信号（ＣＳＩ‐ＲＳ）が必要である。ユーザ機器（ＵＥ）２０４は、伝送ポイント２０２とチャネル状態情報リファレンス信号（ＣＳＩ‐ＲＳ）との間のリンクを知っている必要はない。Ｅ‐ＵＴＲＡＮは伝送ポイント２０２とチャネル状態情報リファレンス信号（ＣＳＩ‐ＲＳ）との間のリンクを知っているため、Ｅ‐ＵＴＲＡＮは、ＣＳＩ‐ＲＳの測定報告から伝送ポイント２０２の条件を知ることができる。複数ポイント協調（ＣｏＭＰ）リソース管理（ＣＲＭ）測定により、無線リソース管理（ＲＲＭ）測定報告２５２が生成され、その後ユーザ機器（ＵＥ）２０４によりネットワークに伝送されうる。複数ポイント協調（ＣｏＭＰ）リソース管理（ＣＲＭ）測定および他の目的（例えばモビリティ、ロードシェアリング、無線リソース管理）の両方に、チャネル状態情報リファレンス信号（ＣＳＩ‐ＲＳ）に基づく無線リソース管理（ＲＲＭ）測定が用いられうる。したがって、複数ポイント協調（ＣｏＭＰ）リソース管理（ＣＲＭ）測定の構成を、チャネル状態情報リファレンス信号（ＣＳＩ‐ＲＳ）に基づく無線リソース管理（ＲＲＭ）測定の構成と考えることができる。
【００５０】
Ｒｅｌ‐１０では、主に無線リソース制御（ＲＲＣ）レイヤのセル間モビリティ管理のために無線リソース管理（ＲＲＭ）測定が定義される。ユーザ機器（ＵＥ）２０４は、Ｅ‐ＵＴＲＡＮ（例えばサービングｅＮＢ１０２、隣接ｅＮＢ１０２および／またはネットワーク）から測定構成２５０を受信しうる。Ｅ‐ＵＴＲＡＮは、専用シグナリングにより（すなわちＲＲＣＣｏｎｎｅｃｔｉｏｎＲｅｃｏｎｆｉｇｕｒａｔｉｏｎメッセージを使用して）、ＲＲＣ＿ＣＯＮＮＥＣＴＥＤのユーザ機器（ＵＥ）２０４に適用可能な測定構成を提供しうる。
【００５１】
測定構成２５０は、周波数内測定（すなわちサービングセル１０７のダウンリンクキャリヤ周波数での測定）、周波数間測定（すなわちサービングセル１０７のいずれのダウンリンクキャリヤ周波数とも異なる周波数での測定）およびＲＡＴ間測定を得るようユーザ機器（ＵＥ）２０４に指示しうる。
【００５２】
測定構成２５０には、測定対象、報告構成、測定識別、クオンティティ構成（ｑｕａｎｔｉｔｙ  ｃｏｎｆｉｇｕｒａｔｉｏｎ）および測定用ギャップ（ｍｅａｓｕｒｅｍｅｎｔ  ｇａｐ）が含まれうる。測定対象は、ユーザ機器（ＵＥ）２０４が測定を行う対象を指す。周波数内および周波数間測定では、測定対象は１つのＥ‐ＵＴＲＡのキャリヤ周波数でありうる。このキャリヤ周波数に関連して、Ｅ‐ＵＴＲＡＮは、セル固有オフセットのリストおよびブラックリストセル（ｂｌａｃｋ  ｌｉｓｔｅｄ  ｃｅｌｌ）のリストを構成しうる。ブラックリストセルは、イベント評価または測定報告において考慮されないセルである。
【００５３】
報告構成には、測定報告２５２を送信するようユーザ機器（ＵＥ）２０４をトリガする報告基準が含まれうる。報告基準は、周期的でもよいし、単一イベントの記述でもよい。報告構成には、報告フォーマットも含まれうる。報告フォーマットは、ユーザ機器（ＵＥ）２０４が測定報告２５２に含むクオンティティおよび関連情報（例えば報告するセルの数）を定義しうる。
【００５４】
測定識別は、１つの測定対象を１つの報告構成とリンクしうる。複数の測定識別を構成することにより、２つ以上の測定対象を同じ報告構成にリンクすることが可能である。２つ以上の報告構成を同じ測定対象にリンクすることも可能である。測定識別は、測定報告２５２において参照番号として使用されうる。
【００５５】
無線アクセス技術（ＲＡＴ）タイプごとに１つのクオンティティ構成が構成されうる。クオンティティ構成は、全てのイベント評価およびその測定タイプの関係する報告に用いられる、測定クオンティティおよび関連のフィルタリングを定義しうる。測定クオンティティごとに１つのフィルタが構成されうる。測定用ギャップは、ユーザ機器（ＵＥ）２０４が測定を行うために使用できる期間を指しうる（すなわち測定用ギャップの間にはアップリンク２１１またはダウンリンク２０９伝送がスケジューリングされない）。
【００５６】
Ｅ‐ＵＴＲＡＮは、所定の周波数につき１つの測定対象しか構成できない。換言すれば、同一周波数で異なる関連パラメータ（例えば異なるオフセットおよび／またはブラックリスト）で２つ以上の測定対象を構成することはできない。Ｅ‐ＵＴＲＡＮは、（例えば異なる閾値で２つの報告構成を構成することにより）同じイベントの複数のインスタンスを構成することができる。
【００５７】
ユーザ機器（ＵＥ）２０４は、１つの測定構成２５０を維持しうる。測定構成２５０には、１つの測定対象リスト、１つの報告構成リスト、および１つの測定識別リストが含まれうる。測定対象リストには、無線アクセス技術（ＲＡＴ）タイプごとに特定された測定対象が含まれうる。測定対象には、周波数内対象（すなわちサービング周波数に対応する対象）、周波数間対象およびＲＡＴ間対象が含まれうる。同様に、報告構成リストには、Ｅ‐ＵＴＲＡおよびＲＡＴ間の報告構成が含まれうる。いくつかの報告構成は、測定対象にリンクされていなくてもよい。同様に、いくつかの測定対象は、報告構成にリンクされていなくてもよい。
【００５８】
測定構成２５０の測定手順では、サービングセル（単数または複数）１０７（キャリアアグリゲーションをサポートするユーザ機器（ＵＥ）２０４のために構成される場合にはＰＣｅｌｌ１０７ａおよび１つ以上のＳＣｅｌｌ１０７ｂ）、リストセル（測定対象にリストされたセル）、および検出セル（測定対象にリストされていないが、測定対象により指示されたキャリヤ周波数でユーザ機器（ＵＥ）２０４が検出するセル）が区別されうる。Ｅ‐ＵＴＲＡでは、ユーザ機器（ＵＥ）２０４は、サービングセル１０７、リストセルおよび検出セルを測定および報告しうる。
【００５９】
ユーザ機器（ＵＥ）２０４が、物理レイヤセル識別を含む明示的な周波数内隣接セルリストなしで、新たな周波数内セルを識別し、識別された周波数内セルのリファレンス信号受信電力（ＲＳＲＰ）測定を行えることが必要でありうる。ユーザ機器（ＵＥ）２０４は、ＲＲＣ＿ＣＯＮＮＥＣＴＥＤ状態の間に、識別された周波数内セルを連続的に測定し、新たな周波数内セルをサーチおよび識別しうる。ユーザ機器（ＵＥ）２０４が新たな周波数間セルを識別できることも必要でありうる。ユーザ機器（ＵＥ）２０４は、物理レイヤセル識別を含む明示的な隣接リストが提供されなくても、ＰＣｅｌｌ１０７ａによりキャリヤ周波数情報が提供されれば、識別された周波数間セルのリファレンス信号受信電力（ＲＳＲＰ）測定を行うことができる。
【００６０】
測定モジュール２４９が行う全ての測定で、ユーザ機器（ＵＥ）２０４は、報告基準の評価および／または測定報告のために測定結果を使用する前にレイヤ３フィルタリングを適用しうる。ユーザ機器（ＵＥ）２０４が測定構成２５０を有するときは常に、ユーザ機器（ＵＥ）２０４は、各サービングセル１０７につきリファレンス信号受信電力（ＲＳＲＰ）測定およびリファレンス信号受信品質（ＲＳＲＱ）測定を行うことができる。
【００６１】
測定用ギャップ構成が設定されている場合、または特定の測定を行うためにユーザ機器（ＵＥ）２０４が測定用ギャップを必要としない場合には、ユーザ機器（ＵＥ）２０４は、測定構成２５０で指示された周波数および無線アクセス技術（ＲＡＴ）で測定を行うことができる。ｓ‐Ｍｅａｓｕｒｅが構成されていない場合、またはｓ‐Ｍｅａｓｕｒｅが構成されており、レイヤ３フィルタリング後のＰＣｅｌｌ１０７ａリファレンス信号受信電力（ＲＳＲＰ）がｓ‐Ｍｅａｓｕｒｅの値より低い場合にも、ユーザ機器（ＵＥ）２０４は、測定構成２５０で指示された周波数および無線アクセス技術（ＲＡＴ）で測定を行うことができる。
【００６２】
上述のように、Ｒｅｌ‐１０無線リソース管理（ＲＲＭ）測定では、セル固有リファレンス信号（ＣＲＳ）のリファレンス信号受信電力（ＲＳＲＰ）およびリファレンス信号受信品質（ＲＳＲＱ）が測定されるが、チャネル状態情報リファレンス信号（ＣＳＩ‐ＲＳ）では測定されない。Ｒｅｌ‐１１無線リソース管理（ＲＲＭ）測定では、セル固有リファレンス信号（ＣＲＳ）およびチャネル状態情報リファレンス信号（ＣＳＩ‐ＲＳ）の両方のリファレンス信号受信電力（ＲＳＲＰ）および／またはリファレンス信号受信品質（ＲＳＲＱ）が測定される。
【００６３】
測定報告手順がトリガされた測定ＩＤ（ｍｅａｓＩｄ）につき、ユーザ機器（ＵＥ）２０４は、ＭｅａｓｕｒｅｍｅｎｔＲｅｐｏｒｔメッセージの中に測定結果（ｍｅａｓＲｅｓｕｌｔｓ）を設定し、ＭｅａｓｕｒｅｍｅｎｔＲｅｐｏｒｔメッセージをユーザ機器（ＵＥ）２０４からＥ‐ＵＴＲＡＮへの伝送のために下位レイヤにサブミットしうる。
【００６４】
ＲＲＣＣｏｎｎｅｃｔｉｏｎＲｅｃｏｎｆｉｇｕｒａｔｉｏｎメッセージは、ＲＲＣ接続を修正するためのコマンドである。ＲＲＣＣｏｎｎｅｃｔｉｏｎＲｅｃｏｎｆｉｇｕｒａｔｉｏｎメッセージにより、測定構成２５０、モビリティ制御、無線リソース構成（リソースブロック（ＲＢ）、媒体アクセス制御（ＭＡＣ）主構成および物理チャネル構成を含む）任意の関連の専用ＮＡＳ情報およびセキュリティ構成の情報が伝えられうる。ＲＲＣＣｏｎｎｅｃｔｉｏｎＲｅｃｏｎｆｉｇｕｒａｔｉｏｎを以下に示す：
【００６５】
【数１】
2015526913.tif 000003
【００６６】
情報要素（ＩＥ；ｉｎｆｏｒｍａｔｉｏｎ  ｅｌｅｍｅｎｔ）ＭｅａｓＣｏｎｆｉｇは、ユーザ機器（ＵＥ）２０４により行われる測定を特定しうる。情報要素（ＩＥ）ＭｅａｓＣｏｎｆｉｇは、周波数内、周波数間およびＲＡＴ間モビリティならびに測定用ギャップの構成もカバーしうる。情報要素（ＩＥ）ＭｅａｓＣｏｎｆｉｇを以下に示す：
【００６７】
【数２】
2015526913.tif 000004
2015526913.tif 000005
【００６８】
情報要素（ＩＥ）ＭｅａｓＩｄは、測定構成２５０を識別するため（すなわち測定対象と報告構成とのリンク）に用いることができる。情報要素（ＩＥ）ＭｅａｓＩｄＴｏＡｄｄＭｏｄＬｉｓｔは、測定構成２５０に追加する、または測定構成２５０を修正する、測定識別のリストに関する。ＭｅａｓＩｄＴｏＡｄｄＭｏｄＬｉｓｔの各エントリにつき、ｍｅａｓＩｄ、関連するｍｅａｓＯｂｊｅｃｔＩｄおよび関連するｒｅｐｏｒｔＣｏｎｆｉｇＩｄが含まれる。情報要素（ＩＥ）ＭｅａｓＩｄＴｏＡｄｄＭｏｄＬｉｓｔを以下に示す：
【００６９】
【数３】
2015526913.tif 000006
【００７０】
情報要素（ＩＥ）ＭｅａｓＯｂｊｅｃｔＴｏＡｄｄＭｏｄＬｉｓｔは、追加または修正する測定対象のリストに関する。情報要素（ＩＥ）ＭｅａｓＯｂｊｅｃｔＴｏＡｄｄＭｏｄＬｉｓｔは、ｍｅａｓＯｂｊｅｃｔＩｄとｍｅａｓＯｂｊｅｃｔとをリンクしうる。情報要素（ＩＥ）ＭｅａｓＯｂｊｅｃｔＴｏＡｄｄＭｏｄＬｉｓｔを以下に示す：
【００７１】
【数４】
2015526913.tif 000007
【００７２】
情報要素（ＩＥ）ＭｅａｓＯｂｊｅｃｔＥＵＴＲＡは、周波数内または周波数内Ｅ‐ＵＴＲＡセルに適用可能な情報を特定する。情報要素（ＩＥ）ＭｅａｓＯｂｊｅｃｔＥＵＴＲＡを以下に示す：
【００７３】
【数５】
2015526913.tif 000008
2015526913.tif 000009
2015526913.tif 000010
【００７４】
情報要素（ＩＥ）ＲｅｐｏｒｔＣｏｎｆｉｇＥＵＴＲＡは、Ｅ‐ＵＴＲＡ測定報告イベントをトリガする基準を特定する。トリガタイプは、イベントトリガまたは周期的トリガに設定されうる。Ｅ‐ＵＴＲＡ測定報告イベントを以下に列挙する：
【００７５】
イベントＡ１：サービングセルが絶対閾値より良くなる；
【００７６】
イベントＡ２：サービングセルが絶対閾値より悪くなる；
【００７７】
イベントＡ３：隣接セルがＰＣｅｌｌより良いオフセット量になる；
【００７８】
イベントＡ４：隣接セルが絶対閾値より良くなる；
【００７９】
イベントＡ５：ＰＣｅｌｌが絶対閾値１より悪くなる、および、隣接セルが別の絶対閾値２より良くなる；
【００８０】
イベントＡ６：隣接セルがＳＣｅｌｌより良いオフセット量になる。
【００８１】
情報要素（ＩＥ）ＲｅｐｏｒｔＣｏｎｆｉｇＥＵＴＲＡを以下に示す：
【００８２】
【数６】
2015526913.tif 000011
2015526913.tif 000012
2015526913.tif 000013
【００８３】
情報要素（ＩＥ）ＲｅｐｏｒｔＣｏｎｆｉｇＩｄは、測定報告構成を識別するために用いられうる。情報要素（ＩＥ）ＭｅａｓＲｅｓｕｌｔｓは、周波数内、周波数間およびＲＡＴ間モビリティの測定結果をカバーする。情報要素（ＩＥ）ＭｅａｓＲｅｓｕｌｔｓには、ｍｅａｓＩｄ、ＰＣｅｌｌ１０７ａの測定結果、ならびに任意に隣接セルおよびＳＣｅｌｌ１０７ｂの測定結果が含まれうる。
【００８４】
ユーザ機器（ＵＥ）２０４は、変数ＶａｒＭｅａｓＣｏｎｆｉｇを含みうる。変数ＶａｒＭｅａｓＣｏｎｆｉｇは、図８に関連して以下でさらに詳述する。変数ＶａｒＭｅａｓＣｏｎｆｉｇには、周波数内、周波数間およびＲＡＴ間モビリティに関係する測定を含む、ユーザ機器（ＵＥ）２０４が行う測定の蓄積された構成が含まれる。変数ＶａｒＭｅａｓＣｏｎｆｉｇを以下に示す：
【００８５】
【数７】
2015526913.tif 000014
【００８６】
ユーザ機器（ＵＥ）２０４は、変数ＶａｒＭｅａｓＲｅｐｏｒｔＬｉｓｔも含みうる。変数ＶａｒＭｅａｓＲｅｐｏｒｔＬｉｓｔは、図９に関連して以下でさらに詳述する。変数ＶａｒＭｅａｓＲｅｐｏｒｔＬｉｓｔには、トリガ条件が満たされている測定に関する情報が含まれうる。ＶａｒＭｅａｓＲｅｐｏｒｔＬｉｓｔ変数を以下に示す：
【００８７】
【数８】
2015526913.tif 000015
【００８８】
チャネル品質および／またはチャネル状態測定の目的で、チャネル状態情報（ＣＳＩ）に関係する無線リソース制御（ＲＲＣ）構成が定義されうる。ユーザ機器（ＵＥ）２０４は、物理レイヤでチャネル状態情報（ＣＳＩ）を報告しうる。報告モードに応じて、セル固有リファレンス信号（ＣＲＳ）またはチャネル状態情報リファレンス信号（ＣＳＩ‐ＲＳ）が、チャネル状態情報（ＣＳＩ）測定に使用される。Ｅ‐ＵＴＲＡＮは、専用シグナリングを用いて（すなわちＲＲＣＣｏｎｎｅｃｔｉｏｎＲｅｃｏｎｆｉｇｕｒａｔｉｏｎメッセージのｒａｄｉｏＲｅｓｏｕｒｃｅＣｏｎｆｉｇＤｅｄｉｃａｔｅｄを用いて）、ＲＲＣ＿ＣＯＮＮＥＣＴＥＤのユーザ機器（ＵＥ）２０４に適用可能なＣＱＩ報告構成（ＣＱＩ‐ＲｅｐｏｒｔＣｏｎｆｉｇ）およびＣＳＩ‐ＲＳ構成（ＣＳＩ‐ＲＳ‐Ｃｏｎｆｉｇ）を提供しうる。
【００８９】
情報要素（ＩＥ）ＣＳＩ‐ＲＳ‐Ｃｏｎｆｉｇは、チャネル状態情報（ＣＳＩ）リファレンス信号構成を特定するために使用されうる。情報要素（ＩＥ）ＣＳＩ‐ＲＳ‐Ｃｏｎｆｉｇには、ＣＳＩ‐ＲＳのアンテナポートの数、ＣＳＩ‐ＲＳの物理リソース、ＣＳＩ‐ＲＳのサブフレームなどの構成が含まれうる。情報要素（ＩＥ）ＣＱＩ‐ＲｅｐｏｒｔＣｏｎｆｉｇは、ユーザ機器（ＵＥ）２０４のＣＱＩ報告構成を特定するために使用されうる。
【００９０】
ユーザ機器（ＵＥ）２０４が測定報告２５２を生成すると、ユーザ機器（ＵＥ）２０４は、フィードバックモジュール２５１を用いて測定報告２５２をＥ‐ＵＴＲＡＮに伝送しうる。
【００９１】
図３は、ユーザ機器（ＵＥ）３０４により使用されるレイヤを示したブロック図である。図３のユーザ機器（ＵＥ）３０４は、図１のユーザ機器（ＵＥ）１０４の一構成でありうる。ユーザ機器（ＵＥ）３０４は、無線リソース制御（ＲＲＣ）レイヤ３５３、無線リンク制御（ＲＬＣ）レイヤ３５４、媒体アクセス制御（ＭＡＣ）レイヤ３５５および物理（ＰＨＹ）レイヤ３５６を含みうる。無線リソース制御（ＲＲＣ）レイヤ３５３、無線リンク制御（ＲＬＣ）レイヤ３５４および媒体アクセス制御（ＭＡＣ）レイヤ３５５の各々は、物理（ＰＨＹ）レイヤ３５６から上位レイヤ１１４と呼称されうる。ユーザ機器（ＵＥ）３０４は、図３に示されない追加のレイヤを含むことができる。
【００９２】
図４は、サイト内複数ポイント協調（ＣｏＭＰ）を用いた同種ネットワーク４００を示したブロック図である。各ｅＮＢ４０２ａ〜ｇは、３つのセルを管理しうる。各ｅＮＢ４０２ａ〜ｇは、３つのセルのダウンリンク信号を伝送しうる。この同種ネットワーク４００の協調エリアは、各ｅＮＢ４０２の３つのセルである。
【００９３】
図５は、高送信電力遠隔無線ヘッド（ＲＲＨ）５５９ａ〜ｆを用いた同種ネットワーク５００を示したブロック図である。各遠隔無線ヘッド（ＲＲＨ）５５９およびｅＮＢ５０２は、ポイントとも呼称されうる。ｅＮＢ５０２は、６つの遠隔無線ヘッド（ＲＲＨ）５５９を用いて２１のセルを管理しうる。各遠隔無線ヘッド（ＲＲＨ）５５９およびｅＮＢ５０２は、遠隔無線ヘッド（ＲＲＨ）５５９に関連する３つのセルのダウンリンク信号を伝送しうる。各遠隔無線ヘッド（ＲＲＨ）５５９は、光ファイバ５５８を介してｅＮＢ５０２に結合されうる。この同種ネットワーク５００の協調エリアは、２１のセルである。
【００９４】
図６は、マクロセル６５７カバレージ内の低送信電力遠隔無線ヘッド（ＲＲＨ）６５９ａ〜ｆを用いたネットワーク６００を示したブロック図である。各遠隔無線ヘッド（ＲＲＨ）６５９およびｅＮＢ６０２は、ポイントとも呼称されうる。マクロセル６５７は、光ファイバ６５８を介して複数の低送信電力遠隔無線ヘッド（ＲＲＨ）６５９（オムニアンテナとも呼称される）に結合されたｅＮＢ６０２を含みうる。ｅＮＢ６０２は、６つの遠隔無線ヘッド（ＲＲＨ）６５９を使用して１つのマクロセル６５７および６つのエリアを管理する。この異種ネットワークの協調エリアは、１つのマクロセル６５７および６つのエリアである。
【００９５】
遠隔無線ヘッド（ＲＲＨ）６５９により作成される伝送／受信ポイントは、マクロセル６５７と同じセルＩＤまたはマクロセル６５７と異なるセルＩＤを有しうる。遠隔無線ヘッド（ＲＲＨ）６５９により作成される伝送／受信ポイントがマクロセル６５７と同じセルＩＤを有する場合には、全ての伝送ポイントが同じセル固有リファレンス信号（ＣＲＳ）を伝送するが、異なるチャネル状態情報リファレンス信号（ＣＳＩ‐ＲＳ）を伝送しうると一般に理解される。
【００９６】
図７は、一般化された複数ポイント協調（ＣｏＭＰ）アーキテクチャ７００を示したブロック図である。複数の複数ポイント協調（ＣｏＭＰ）測定セット７６２が、ユーザ機器（ＵＥ）１０４のために用いられうる。例えば、複数ポイント協調（ＣｏＭＰ）協働セットは、時間周波数リソースでのユーザ機器（ＵＥ）１０４へのデータ伝送に直接および／または間接的に関与する地理的に分離されたポイントのセットでありうる。複数ポイント協調（ＣｏＭＰ）協働セットは、ユーザ機器（ＵＥ）１０４にトランスペアレントであってもなくてもよい。
【００９７】
複数ポイント協調（ＣｏＭＰ）伝送ポイント７６０ａ〜ｎは、ユーザ機器（ＵＥ）１０４にデータを伝送するポイントまたはポイントのセットでありうる。複数ポイント協調（ＣｏＭＰ）伝送ポイント７６０は、複数ポイント協調（ＣｏＭＰ）協働セットのサブセットである。複数ポイント協調（ＣｏＭＰ）測定セット７６２は、ユーザ機器（ＵＥ）１０４へのリンクに関係するチャネル状態／統計情報が測定および／またはＬ１（ＰＵＣＣＨまたはＰＵＳＣＨ）で報告されるポイントのセットでありうる。複数ポイント協調（ＣｏＭＰ）リソース管理（ＣＲＭ）セット７６３は、複数ポイント協調（ＣｏＭＰ）の無線リソース管理（ＲＲＭ）測定が行われるセルのセットでありうる。セル固有リファレンス信号（ＣＲＳ）での無線リソース管理（ＲＲＭ）測定は、Ｒｅｌ‐８において既に定義されている。（複数ポイント協調（ＣｏＭＰ）リソース管理（ＣＲＭ）測定等の）追加の無線リソース管理（ＲＲＭ）測定方法が、（例えば同じ論理セルエンティティに帰属する異なるポイントを分離するため、または複数ポイント協調（ＣｏＭＰ）測定セット７６２を選択するために）考慮されうる。
【００９８】
一般化された複数ポイント協調（ＣｏＭＰ）アーキテクチャ７００においては、ｅＮＢ内通信だけに高速協調複数ポイント協調（ＣｏＭＰ）スキーム（例えばＪＴ、ＤＰＳ、ＣＳ／ＣＢ）が使用され、ｅＮＢ間通信にはより低速協調の複数ポイント協調（ＣｏＭＰ）スキーム（例えばＣＳ／ＣＢ）が使用されうる。Ｒｅｌ‐１１では、Ｘ２  ７６１ａ〜ｂを介して制御情報だけが伝送され、Ｘ２  ７６１を介してデータは送られない。プロプライエタリのｅＮＢ間インタフェースを用いて、（特に同一位置にあるｅＮＢ７０２ａ〜ｃの場合に）ｅＮＢ間通信のより高速なスキームが提供されうる。ユーザ機器（ＵＥ）１０４が知っているのはセルだけである（ｅＮＢ７０２を知らない）ため、ユーザ機器（ＵＥ）１０４に影響はない。
【００９９】
ネットワークは全ての複数ポイント協調（ＣｏＭＰ）測定セット７６２を知りうるが、ユーザ機器（ＵＥ）１０４は、２つの複数ポイント協調（ＣｏＭＰ）測定セット７６２、すなわち複数ポイント協調（ＣｏＭＰ）測定セット７６２および複数ポイント協調（ＣｏＭＰ）リソース管理（ＣＲＭ）セット７６３のみを知りうる。
【０１００】
複数ポイント協調（ＣｏＭＰ）リソース管理（ＣＲＭ）測定は、チャネル状態情報リファレンス信号（ＣＳＩ‐ＲＳ）測定に基づきうる。これは、（図６に関連して先に示したように）遠隔無線ヘッド（ＲＲＨ）により作成される伝送／受信ポイント６５９がマクロセル６５７と同じセルＩＤを有する場合にはユーザ機器（ＵＥ）１０４がセル固有リファレンス信号（ＣＲＳ）を用いて伝送ポイント７６０を識別できないため、ＣＲＳベースの無線リソース管理（ＲＲＭ）測定が機能しないためである。チャネル状態情報リファレンス信号（ＣＳＩ‐ＲＳ）を用いて、リファレンス信号受信電力（ＲＳＲＰ）およびリファレンス信号受信品質（ＲＳＲＱ）をなお測定することができる（ＣＳＩ‐ＲＳＲＰおよび／またはＣＳＩ‐ＲＳＲＱと呼称される）。ネットワークはＣＳＩ‐ＲＳＲＰおよび／またはＣＳＩ‐ＲＳＲＱを用いて、どの伝送ポイント７６０が複数ポイント協調（ＣｏＭＰ）測定セット７６２に含まれるべきか（例えば追加、除去、置換）を判断しうる。セル間ハンドオーバは、複数ポイント協調（ＣｏＭＰ）リソース管理（ＣＲＭ）測定の目的の一つでなくてもよい。
【０１０１】
ＣＳＩ‐ＲＳＲＰおよび／またはＣＳＩ‐ＲＳＲＱの測定が定義されることが必要である。現在では、チャネル状態情報リファレンス信号（ＣＳＩ‐ＲＳ）はチャネル状態情報（ＣＳＩ）測定に使用されるが、複数ポイント協調（ＣｏＭＰ）無線管理（ＣＲＭ）測定には使用されない。したがって、複数ポイント協調（ＣｏＭＰ）無線管理（ＣＲＭ）測定にＣＳＩ‐ＲＳＲＰおよび／またはＣＳＩ‐ＲＳＲＱ測定が使用されうる。ＣＳＩ‐ＲＳＲＰおよび／またはＣＳＩ‐ＲＳＲＱ測定は、モビリティ目的でも使用されうる。
【０１０２】
図８は、測定構成変数８６４の構造を示したブロック図である。測定構成変数８６４は、ＶａｒＭｅａｓＣｏｎｆｉｇと呼称されうる。ユーザ機器（ＵＥ）１０４およびｅＮＢ１０２の両方が、測定構成変数８６４を維持しうる。測定構成変数８６４には、測定ＩＤ８６５ａ〜ｃのリスト、測定対象８６６のリストおよび報告構成８６７のリストが含まれうる。測定ＩＤ８６５のリストには、１つ以上の測定ＩＤ８７８ａ〜ｃ、１つ以上の測定対象ＩＤ８７９ａ〜ｃおよび１つ以上の報告構成ＩＤ８８０ａ〜ｃが含まれうる。各測定ＩＤ８７８は、測定対象ＩＤ８７９および報告構成ＩＤ８８０にリンクされうる。
【０１０３】
Ｒｅｌｅａｓｅ‐１０では、ＲＲＣＣｏｎｎｅｃｔｉｏｎＲｅｃｏｎｆｉｇｕｒａｔｉｏｎメッセージにｍｅａｓＣｏｎｆｉｇが含まれ、受信されたｍｅａｓＣｏｎｆｉｇにｍｅａｓＩｄＴｏＡｄｄＭｏｄＬｉｓｔが含まれる場合には、無線リソース制御（ＲＲＣ）接続再構成の間に測定識別追加および修正手順が行われうる。ユーザ機器（ＵＥ）１０４は、受信されたｍｅａｓＩｄＴｏＡｄｄＭｏｄＬｉｓｔに含まれる各ｍｅａｓＩｄ８７８につき、測定識別追加および修正手順を行いうる。ｍｅａｓＩｄ８７８がマッチするエントリがＶａｒＭｅａｓＣｏｎｆｉｇ８６４内のｍｅａｓＩｄＬｉｓｔ８６５に存在する場合には、ユーザ機器（ＵＥ）１０４はそのエントリをｍｅａｓＩｄ８７８につき受信した値で置換しうる。マッチするエントリがない場合には、ユーザ機器（ＵＥ）１０４は、このｍｅａｓＩｄ８７８の新規エントリをＶａｒＭｅａｓＣｏｎｆｉｇ８６４内に追加しうる。ｅＮＢ１０２は、ユーザ機器（ＵＥ）１０４において追加または修正手順が行われているものと考えまたはみなしうる。
【０１０４】
図９は、測定報告リスト９６８の構造を示したブロック図である。測定報告リスト９６８は、ＶａｒＭｅａｓＲｅｐｏｒｔＬｉｓｔと呼称されうる。ユーザ機器（ＵＥ）１０４およびｅＮＢ１０２の両方が、測定報告リスト９６８を維持しうる。測定報告リスト９６８には、複数の測定報告９６９ａ〜ｃが含まれうる。各測定報告９６９には、測定ＩＤ９７８ａ〜ｃおよび測定報告９６９をトリガしたセルのリストが含まれうる。複数ポイント協調（ＣｏＭＰ）リソース管理（ＣＲＭ）測定では、各測定報告９６９に、測定ＩＤ９７８ａ〜ｃと測定報告９６９をトリガしたＣＳＩ‐ＲＳのリストとが含まれうる。
【０１０５】
図１０は、ＲＲＣ接続再構成メッセージ１０７０の構造を示したブロック図である。ＲＲＣ接続再構成メッセージ１０７０は、ＲＲＣＣｏｎｎｅｃｔｉｏｎＲｅｃｏｎｆｉｇｕｒａｔｉｏｎと呼称されうる。ＲＲＣ接続再構成メッセージ１０７０には、測定構成１０７１と個別無線リソース（ｒａｄｉｏ  ｒｅｓｏｕｒｃｅｓ  ｄｅｄｉｃａｔｅｄ）１０７２とが含まれうる。
【０１０６】
図１１は、測定識別、測定対象および報告構成を含む、測定構成１１５０のブロック図である。測定構成１１５０は、ｅＮＢ１０２からユーザ機器（ＵＥ）１０４に伝送されうる測定構成１１５０の一例である。測定構成１１５０には、１つ以上の測定識別（ｍｅａｓＩｄ）１１７８ａが含まれうる。一構成では、測定構成１１５０は、ユーザ機器（ＵＥ）１０４に設定を変更するよう指示しうる。例えば、測定構成１１５０は、ユーザ機器（ＵＥ）１０４に、測定構成からｍｅａｓＩｄ１１７８を追加、修正または除去するように指示しうる。
【０１０７】
各ｍｅａｓＩｄ１１７８ａ〜ｆは、セル固有リファレンス信号（ＣＲＳ）またはチャネル状態情報リファレンス信号（ＣＳＩ‐ＲＳ）にリンクされうる。Ｒｅｌ‐１０では、ｍｅａｓＩｄ１１７８は、セル固有リファレンス信号（ＣＲＳ）ベースの無線リソース管理（ＲＲＭ）測定にのみリンクされうる。ｍｅａｓＩｄ１１７８がシグナリングされる際には、ｍｅａｓＩｄ１１７８はｍｅａｓＯｂｊｅｃｔＩｄ１１７９ａ〜ｄおよびｒｅｐｏｒｔＣｏｎｆｉｇＩｄ１１８０ａ〜ｄに関連付けられうる。
【０１０８】
測定対象構成または物理構成にＣＳＩ‐ＲＳ構成のセットが含まれる場合、ｍｅａｓＯｂｊｅｃｔは、そのｍｅａｓＯｂｊｅｃｔがセル固有リファレンス信号（ＣＲＳ）のものかチャネル状態情報リファレンス信号（ＣＳＩ‐ＲＳ）のものかを特定しない。したがって各ｒｅｐｏｒｔＣｏｎｆｉｇに、ｒｅｐｏｒｔＣｏｎｆｉｇがセル固有リファレンス信号（ＣＲＳ）のものかチャネル状態情報リファレンス信号（ＣＳＩ‐ＲＳ）のものかの指示が含まれうる。ｒｅｐｏｒｔＣｏｎｆｉｇの指示は、セル固有リファレンス信号（ＣＲＳ）ベースのイベントと異なる識別の１つ以上の新規のイベント識別（例えばイベントＣ１およびＣ２）でありうる。イベント識別は、測定報告イベント（すなわち図２に関して上述した現行リストのイベントＡ１〜Ａ６）を識別しうる。イベントＡ１〜Ａ６は、サービングセルおよび／または隣接セルのセル固有リファレンス信号（ＣＲＳ）の測定結果に基づくイベントとして定義される。加えて、（サービングセルおよび／または隣接セルの）チャネル状態情報リファレンス信号（ＣＳＩ‐ＲＳ）および／または（サービングセルおよび／または隣接セルの）セル固有リファレンス信号（ＣＲＳ）の測定結果に基づくイベントが使用されうる。
【０１０９】
指示は、代わりに明示的指示｛ＣＲＳ，ＣＳＩ‐ＲＳ｝であってもよい。明示的指示は｛ＣＲＳ，ＣＳＩ‐ＲＳ，両方｝であってもよく、「両方」は、セル固有リファレンス信号（ＣＲＳ）およびチャネル状態情報リファレンス信号（ＣＳＩ‐ＲＳ）の両方を意味する。明示的指示は、測定報告がＣＳＩ‐ＲＳ（単数または複数）の測定結果を含むべきかを指示する、ａｄｄ‐ＣＳＩ‐ＲＳ‐ｒｅｐｏｒｔ｛ｓｅｔｕｐ｝であってもよい。測定ＩＤ（ｍｅａｓＩｄ）１１７８がシグナリングされる際には、ｍｅａｓＩｄ１１７８に測定対象識別（ｍｅａｓＯｂｊｅｃｔＩｄ）１１７９および報告構成識別（ｒｅｐｏｒｔＣｏｎｆｉｇＩｄ）１１８０が関連付けられる。したがって、報告構成１１８０により、ｍｅａｓＩｄ１１７８がチャネル状態情報リファレンス信号（ＣＳＩ‐ＲＳ）ベースの無線リソース管理（ＲＲＭ）測定のものであるか、セル固有リファレンス信号（ＣＲＳ）ベースの無線リソース管理（ＲＲＭ）測定のものであるかが定義されうる。測定対象構成にＣＳＩ‐ＲＳ構成のセットが含まれる構成において、明示的または黙示的指示が使用されてもよい。
【０１１０】
Ｒｅｌｅａｓｅ‐１０では、無線リソース制御（ＲＲＣ）接続再構成手順の間に測定識別追加／修正手順が行われうる。具体的には、ＲＲＣＣｏｎｎｅｃｔｉｏｎＲｅｃｏｎｆｉｇｕｒａｔｉｏｎメッセージ１０７０に測定構成１１５０が含まれ、受信された測定構成１１５０にｍｅａｓＩｄＴｏＡｄｄＭｏｄＬｉｓｔが含まれる場合には、無線リソース制御（ＲＲＣ）接続再構成の間に追加／修正手順が行われうる。
【０１１１】
Ｒｅｌｅａｓｅ‐１０では、複数ポイント協調（ＣｏＭＰ）リソース管理（ＣＲＭ）測定でのハンドオーバ、再確立および／またはＳＣｅｌｌ解放時の測定に関係するアクションは定義されていない。ハンドオーバ、再確立、ＳＣｅｌｌ解放および他のアクション時の複数ポイント協調（ＣｏＭＰ）リソース管理（ＣＲＭ）測定に関係するアクションを有することにより、より効率的な測定および構成が提供されうる。
【０１１２】
或るサービングセル（すなわちＳＣｅｌｌ１０７ｂ）のチャネル状態情報リファレンス信号（ＣＳＩ‐ＲＳ）ベースの測定の測定識別の自律的除去を、そのサービングセルが解放されたときに行うことにより、ユーザ機器（ＵＥ）１０４の効率的な更新および測定が達成されうる。さらに、ユーザ機器（ＵＥ）１０４がセル間ハンドオーバまたは再確立を行ったときにソースプライマリセル（すなわちＰＣｅｌｌ１０７ａ）に関係するチャネル状態情報リファレンス信号（ＣＳＩ‐ＲＳ）ベースの測定識別（ｍｅａｓＩｄ）を除去することにより、ユーザ機器（ＵＥ）１０４で効率的な更新および測定が達成されうる。
【０１１３】
図１２は、複数ポイント協調（ＣｏＭＰ）リソース管理（ＣＲＭ）測定に関係する測定識別自律的除去の方法１２００を示した流れ図である。方法１２００は、ユーザ機器（ＵＥ）１０４により行われうる。ｅＮＢ１０２は、ユーザ機器（ＵＥ）１０４が方法１２００を行っているものと考え／みなしうる。
【０１１４】
方法１２００は、無線リソース制御（ＲＲＣ）接続再構成手順の間、または無線リソース制御（ＲＲＣ）接続再確立手順の間に行われうる。一構成では、方法１２００は、無線リソース制御（ＲＲＣ）接続再構成手順の間にユーザ機器（ＵＥ）１０４がＳＣｅｌｌ解放手順を行った（ステップ１２０２）後に行われうる。別の構成では、方法１２００は、無線リソース制御（ＲＲＣ）接続再確立手順の間にユーザ機器（ＵＥ）１０４がＳＣｅｌｌ解放手順を行った（ステップ１２０２）後に行われうる。
【０１１５】
別の構成では、方法１２００は、無線リソース制御（ＲＲＣ）接続再構成手順の間にユーザ機器（ＵＥ）１０４がＳＣｅｌｌ追加／修正手順を行った（ステップ１２０４）後に行われうる。方法１２００は、無線リソース制御（ＲＲＣ）接続再確立手順の間にユーザ機器（ＵＥ）１０４がＳＣｅｌｌ追加／修正手順を行った（ステップ１２０４）後に行われてもよい。方法１２００はさらに、無線リソース制御（ＲＲＣ）接続再構成手順の間にユーザ機器（ＵＥ）１０４が測定構成手順を行った（ステップ１２０６）後に行われてもよい。方法１２００は、無線リソース制御（ＲＲＣ）接続再確立手順の間にユーザ機器（ＵＥ）１０４が測定構成手順を行った（ステップ１２０６）後に行われてもよい。
【０１１６】
これらの手順のいずれかの後に、ユーザ機器（ＵＥ）１０４は、測定識別自律的除去手順を行いうる（ステップ１２１０）。測定識別自律的除去手順は、ＶａｒＭｅａｓＣｏｎｆｉｇ８６４内のｍｅａｓＩｄＬｉｓｔ８６５に含まれる各ｍｅａｓＩｄ８７８につき行われうる（ステップ１２１０）。測定識別自律的除去手順は、図１３〜１４に関連して以下で詳述する。
【０１１７】
図１３は、測定識別自律的除去の方法１３００を示した流れ図である。方法１３００は、ユーザ機器（ＵＥ）１０４により行われうる。ｅＮＢ１０２は、ユーザ機器（ＵＥ）１０４が方法１３００を行っているものと考え／みなしうる。図１３は、図１２のステップ１２１０の測定識別自律的除去手順を行う一方法１３００を示す。方法１３００は、ＶａｒＭｅａｓＣｏｎｆｉｇ８６４内のｍｅａｓＩｄＬｉｓｔ８６５に含まれる各ｍｅａｓＩｄ８７８につき行われうる。
【０１１８】
ユーザ機器（ＵＥ）１０４は、関連のｒｅｐｏｒｔＣｏｎｆｉｇ８８０が或るサービングセルに関わるイベントを対象とするが、対象のサービングセルが構成されていないかどうかを判断し（ステップ１３０２）、さらに、関連のｒｅｐｏｒｔＣｏｎｆｉｇ８８０が或るサービング周波数のチャネル状態情報リファレンス信号（ＣＳＩ‐ＲＳ）に関わるイベントを対象とするが、対象のサービング周波数が構成されていないかどうかも判断しうる（ステップ１３０２）。関連のｒｅｐｏｒｔＣｏｎｆｉｇ８８０が或るサービングセルに関わるイベントを対象とするが、対象のサービングセルが構成されていない場合、または、関連のｒｅｐｏｒｔＣｏｎｆｉｇ８８０が或るサービング周波数のチャネル状態情報リファレンス信号（ＣＳＩ‐ＲＳ）に関わるイベントを対象とするが、対象のサービング周波数が構成されていない場合には、ユーザ機器（ＵＥ）１０４は、ＶａｒＭｅａｓＣｏｎｆｉｇ８６４内のｍｅａｓＩｄＬｉｓｔ８６５からｍｅａｓＩｄ８７８を除去しうる（ステップ１３０４）。ユーザ機器（ＵＥ）１０４は、ステップ１３０６に進み、ＶａｒＭｅａｓＲｅｐｏｒｔＬｉｓｔ９６８から、もし含まれるのであれば、ｍｅａｓＩｄ８７８の測定報告エントリを除去しうる。その後、ユーザ機器（ＵＥ）は、周期的報告タイマが動作していれば停止し（ステップ１３０８）、ｍｅａｓＩｄ８７８の関連情報（例えばｔｉｍｅＴｏＴｒｉｇｇｅｒ）をリセットしうる（ステップ１３１０）。その後、方法１３００は終了しうる。
【０１１９】
関連のｒｅｐｏｒｔＣｏｎｆｉｇ８８０が或るサービングセルに関わるイベントを対象とせず、対象のサービングセルが構成されていない場合、および、関連のｒｅｐｏｒｔＣｏｎｆｉｇ８８０が或るサービング周波数のチャネル状態情報リファレンス信号（ＣＳＩ‐ＲＳ）に関わるイベントを対象とせず、対象のサービング周波数が構成されていない場合には、方法１３００は終了しうる。上述のように、ＶａｒＭｅａｓＣｏｎｆｉｇ内のｍｅａｓＩｄＬｉｓｔ８６５に含まれる各ｍｅａｓＩｄ８７８につき、測定識別自律的除去手順（すなわち方法１３００）が行われうる。
【０１２０】
測定識別自律的除去（例えばステップ１３０４）は、様々な測定イベントに適用されうる。例えば、測定識別自律的除去は、図２に関連して上述した測定イベントＡ１、Ａ２およびＡ６に適用されうる。測定識別自律的除去手順は、チャネル状態情報リファレンス信号（ＣＳＩ‐ＲＳ）ベースの測定に固有のトリガイベントである測定イベントＣ（例えばＣ１、Ｃ２）にも適用されうる。すなわち、サービングセルに関わるイベントは、測定イベントＡ１、Ａ２およびＡ６でありうる。サービング周波数のチャネル状態情報リファレンス信号（ＣＳＩ‐ＲＳ）に関わるイベントは、測定イベントＣ１およびＣ２でありうる。さらに、再確立の間に測定識別自律的除去手順が行われるときには、ユーザ機器（ＵＥ）１０４は、プライマリ周波数でのみ構成されうる（すなわちＳＣｅｌｌ（単数または複数）が構成されていれば解放される）。
【０１２１】
サービング周波数がＳＣｅｌｌ解放に構成解除されたときには、サービング周波数を対象とするチャネル状態情報リファレンス信号（ＣＳＩ‐ＲＳ）ベースの測定（すなわち測定識別（ｍｅａｓＩｄ））が除去されうる。すなわち、ユーザ機器（ＵＥ）１０４は、サービング周波数が解放されたときには、そのサービング周波数でのＣＳＩ‐ＲＳを対象とするチャネル状態情報リファレンス信号（ＣＳＩ‐ＲＳ）ベースの測定の測定識別の自律的除去を行いうる。サービングセルに関わるイベントは、チャネル状態情報リファレンス信号（ＣＳＩ‐ＲＳ）ベースの測定ではなくセル固有リファレンス信号（ＣＲＳ）ベースの測定を表すため、サービングセルに関わるイベントはサービングセルのサービング周波数のチャネル状態情報リファレンス信号（ＣＳＩ‐ＲＳ）に関わるイベントとは異なる。チャネル状態情報リファレンス信号（ＣＳＩ‐ＲＳ）リソースは、サービングセルあるいはサービングセルのサービング周波数につき構成されうる。チャネル状態情報リファレンス信号（ＣＳＩ‐ＲＳ）ベースの測定を行う際には、測定はサービングセルに特に関係せず、サービング周波数の構成されたチャネル状態情報リファレンス信号（ＣＳＩ‐ＲＳ）に関係しうる。
【０１２２】
図１４は、自律的測定識別除去の別の方法１４００を示した流れ図である。方法１４００は、ユーザ機器（ＵＥ）１０４により行われうる。ｅＮＢ１０２は、ユーザ機器（ＵＥ）１０４が方法１４００を行っているものと考え／みなしうる。図１４は、図１２のステップ１２１０で測定識別自律的除去手順を行う一方法１４００を示す。方法１４００は、ＶａｒＭｅａｓＣｏｎｆｉｇ８６４内のｍｅａｓＩｄＬｉｓｔ８６５に含まれる各ｍｅａｓＩｄ８７８につき行われうる。
【０１２３】
ユーザ機器（ＵＥ）１０４は、関連のｒｅｐｏｒｔＣｏｎｆｉｇ８８０が或るサービングセルに関わるイベントを対象とするが、対象のサービングセルが構成されていないかどうかを判断し（ステップ１４０２）、さらに、関連のｒｅｐｏｒｔＣｏｎｆｉｇ８８０が或るサービングセルのチャネル状態情報リファレンス信号（ＣＳＩ‐ＲＳ）に関わるイベントを対象とするが、対象のサービングセルが構成されていないかどうかも判断しうる（ステップ１４０２）。関連のｒｅｐｏｒｔＣｏｎｆｉｇ８８０が或るサービングセルに関わるイベントを対象とするが、対象のサービングセルが構成されていない場合、または、関連のｒｅｐｏｒｔＣｏｎｆｉｇ８８０が或るサービングセルのチャネル状態情報リファレンス信号（ＣＳＩ‐ＲＳ）に関わるイベントを対象とするが、対象のサービングセルが構成されていない場合には、ユーザ機器（ＵＥ）１０４は、ＶａｒＭｅａｓＣｏｎｆｉｇ８６４内のｍｅａｓＩｄＬｉｓｔ８６５からｍｅａｓＩｄ８７８を除去しうる（ステップ１４０４）。ユーザ機器（ＵＥ）１０４は、ステップ１４０６に進み、ＶａｒＭｅａｓＲｅｐｏｒｔＬｉｓｔ９６８から、もし含まれるのであれば、ｍｅａｓＩｄ８７８の測定報告エントリを除去しうる。その後、ユーザ機器（ＵＥ）は、周期的報告タイマが動作していれば停止し（ステップ１４０８）、ｍｅａｓＩｄ８７８の関連情報（例えばｔｉｍｅＴｏＴｒｉｇｇｅｒ）をリセットしうる（ステップ１４１０）。その後、方法１４００は終了しうる。
【０１２４】
関連のｒｅｐｏｒｔＣｏｎｆｉｇ８８０が或るサービングセルに関わるイベントを対象とせず、対象のサービングセルが構成されていない場合、および、関連のｒｅｐｏｒｔＣｏｎｆｉｇ８８０が或るサービングセルのチャネル状態情報リファレンス信号（ＣＳＩ‐ＲＳ）に関わるイベントを対象とせず、対象のサービングセルが構成されていない場合には、方法１４００は終了しうる。上述のように、ＶａｒＭｅａｓＣｏｎｆｉｇ内のｍｅａｓＩｄＬｉｓｔ８６５に含まれる各ｍｅａｓＩｄ８７８につき測定識別自律的除去手順（すなわち方法１４００）が行われうる。
【０１２５】
図１４と関連して記載した測定識別自律的除去（例えばステップ１４０４）は、様々な測定イベントに適用されうる。例えば、測定識別自律的除去は、図２に関連して上述した測定イベントＡ１、Ａ２およびＡ６に適用されうる。測定識別自律的除去手順は、チャネル状態情報リファレンス信号（ＣＳＩ‐ＲＳ）ベースの測定に固有のトリガイベントである測定イベントＣ（例えばＣ１、Ｃ２）にも適用されうる。すなわち、サービングセルに関わるイベントは、測定イベントＡ１、Ａ２およびＡ６でありうる。サービング周波数のチャネル状態情報リファレンス信号（ＣＳＩ‐ＲＳ）に関わるイベントは、測定イベントＣ１およびＣ２でありうる。さらに、再確立の間に測定識別自律的除去手順が行われるときには、ユーザ機器（ＵＥ）１０４は、プライマリ周波数でのみ構成されうる（すなわちＳＣｅｌｌ（単数または複数）が構成されていれば解放される）。
【０１２６】
サービングセルがＳＣｅｌｌ解放に構成解除されたときには、サービングセルを対象とするチャネル状態情報リファレンス信号（ＣＳＩ‐ＲＳ）ベースの測定（すなわち測定識別）が除去されうる。すなわち、ユーザ機器（ＵＥ）１０４は、サービングセルが解放されたときには、そのサービングセルのＣＳＩ‐ＲＳを対象とするチャネル状態情報リファレンス信号（ＣＳＩ‐ＲＳ）ベースの測定の測定識別の自律的除去を行いうる。サービングセルに関わるイベントは、チャネル状態情報リファレンス信号（ＣＳＩ‐ＲＳ）ベースの測定ではなくセル固有リファレンス信号（ＣＲＳ）ベースの測定を表すため、サービングセルに関わるイベントはサービングセルのチャネル状態情報リファレンス信号（ＣＳＩ‐ＲＳ）に関わるイベントとは異なる。
【０１２７】
図１５は、ハンドオーバまたは再確立時に行われるアクションに関係する方法１５００を示した流れ図である。方法１５００は、ユーザ機器（ＵＥ）１０４により行われうる。ｅＮＢ１０２は、ユーザ機器（ＵＥ）１０４が方法１５００を行っているものと考え／みなしうる。方法１５００は、ｍｏｂｉｌｉｔｙＣｏｎｔｒｏｌＩｎｆｏを含む無線リソース制御（ＲＲＣ）接続再構成手順（すなわちハンドオーバ）の間、または無線リソース制御（ＲＲＣ）接続再確立手順の間に行われうる。
【０１２８】
一構成では、方法１５００は、ｍｏｂｉｌｉｔｙＣｏｎｔｒｏｌＩｎｆｏを含む無線リソース制御（ＲＲＣ）接続再構成手順（ハンドオーバ）の間にユーザ機器（ＵＥ）１０４がＳＣｅｌｌ開放手順を行った（ステップ１５０２）後に行われうる。別の構成では、方法１５００は、無線リソース制御（ＲＲＣ）接続再確立手順の間にユーザ機器（ＵＥ）１０４がＳＣｅｌｌ解放手順を行った（ステップ１５０２）後に行われうる。さらに別の構成では、方法１５００は、ｍｏｂｉｌｉｔｙＣｏｎｔｒｏｌＩｎｆｏを含む無線リソース制御（ＲＲＣ）接続再構成手順（ハンドオーバ）の間にユーザ機器（ＵＥ）１０４がＳＣｅｌｌ追加／修正手順を行った（ステップ１５０４）後に行われうる。方法１５００は、無線リソース制御（ＲＲＣ）接続再確立手順の間にユーザ機器（ＵＥ）１０４がＳＣｅｌｌ追加／修正手順を行った（ステップ１５０４）後に行われてもよい。方法１５００はさらに、ｍｏｂｉｌｉｔｙＣｏｎｔｒｏｌＩｎｆｏを含む無線リソース制御（ＲＲＣ）接続再構成手順（ハンドオーバ）の間にユーザ機器（ＵＥ）１０４が測定構成手順を行った（ステップ１５０６）後に行われてもよい。方法１５００はさらに、無線リソース制御（ＲＲＣ）接続再確立手順の間にユーザ機器（ＵＥ）１０４が測定構成手順を行った（ステップ１５０６）後に行われてもよい。これらの手順のいずれかの後に、ユーザ機器（ＵＥ）１０４は、ハンドオーバまたは再確立時のアクションを行いうる（ステップ１５１０）。ハンドオーバまたは再確立時のアクションを行うステップ１５１０は、図１６〜２２に関連して以下に詳述する。
【０１２９】
図１６は、ハンドオーバまたは再確立時のアクションを行う方法１６００を示した流れ図である。方法１６００は、図１５のハンドオーバまたは再確立時のアクションを行うステップ１５１０に対応しうる。方法１６００は、ユーザ機器（ＵＥ）１０４により行われうる。ｅＮＢ１０２は、ユーザ機器（ＵＥ）１０４が方法１６００を行っているものと考え／みなしうる。
【０１３０】
方法１６００が開始しうる。各ｍｅａｓＩｄ８７８につき、ユーザ機器（ＵＥ）１０４は、トリガタイプが周期的に設定されている場合には、ＶａｒＭｅａｓＣｏｎｆｉｇ８６４内のｍｅａｓＩｄＬｉｓｔ８６５からｍｅａｓＩｄを除去しうる（ステップ１６０４）。その後、ユーザ機器（ＵＥ）１０４は、ハンドオーバまたは再確立時の追加のアクションを行いうる（ステップ１６０６）。ハンドオーバまたは再確立時の追加のアクションを行うステップ１６０６は、図１７に関連して後述する。
【０１３１】
図１７は、ハンドオーバまたは再確立時のアクションを行う別の方法１７００を示した流れ図である。方法１７００は、図１６のハンドオーバまたは再確立時の追加のアクションを行うステップ１６０６に対応しうる。方法１７００は、ユーザ機器（ＵＥ）１０４により行われうる。ｅＮＢ１０２は、ユーザ機器（ＵＥ）１０４が方法１７００を行っているものと考え／みなしうる。
【０１３２】
方法１７００が開始しうる。ユーザ機器（ＵＥ）１０４は、手順（すなわち方法１７００）がハンドオーバまたは再確立成功に起因してトリガされたか、および、手順がプライマリ周波数の変更に関わるかを判断しうる（ステップ１７０２）。手順がハンドオーバまたは再確立成功に起因してトリガされ、手順がプライマリ周波数の変更に関わる場合には、ユーザ機器（ＵＥ）１０４は、ＶａｒＭｅａｓＣｏｎｆｉｇ８６４内のｍｅａｓＩｄＬｉｓｔ８６５のｍｅａｓＩｄ８７８値を更新しうる（ステップ１７０４）。ＶａｒＭｅａｓＣｏｎｆｉｇ８６４内のｍｅａｓＩｄＬｉｓｔ８６５のｍｅａｓＩｄ７８値を更新するステップ１７０４は、図１８に関連して以下に詳述する。その後、ユーザ機器（ＵＥ）１０４は、ＶａｒＭｅａｓＲｅｐｏｒｔＬｉｓｔ９６８内の全ての測定報告エントリを除去しうる（ステップ１７０６）。
【０１３３】
手順がハンドオーバまたは再確立成功に起因してトリガされなかった、および／または手順がプライマリ周波数の変更に関わらない場合には、ユーザ機器（ＵＥ）１０４は、ＶａｒＭｅａｓＲｅｐｏｒｔＬｉｓｔ９６８内の全ての測定報告エントリを除去しうる（ステップ１７０６）。
【０１３４】
ユーザ機器（ＵＥ）がＶａｒＭｅａｓＲｅｐｏｒｔＬｉｓｔ９６８内の全ての測定報告エントリを除去したら（ステップ１７０６）、ユーザ機器（ＵＥ）１０４は、周期的報告タイマまたはタイマＴ３２１（動作しているもの）ならびに全てのｍｅａｓＩｄ８７８の関連情報（例えばｔｉｍｅＴｏＴｒｉｇｇｅｒ）を停止しうる（ステップ１７０８）。ユーザ機器（ＵＥ）１０４は、測定用ギャップがアクティブなら解放しうる（ステップ１７１０）。
【０１３５】
図１８は、ＶａｒＭｅａｓＣｏｎｆｉｇ８６４内のｍｅａｓＩｄＬｉｓｔ８６５のｍｅａｓＩｄ８７８値を更新する方法１８００を示した流れ図である。方法１８００は、ユーザ機器（ＵＥ）１０４により行われうる。方法１８００は、ＶａｒＭｅａｓＣｏｎｆｉｇ８６４内の各ｍｅａｓＩｄ８７８に関して行われうる。図１８の方法１８００は、図１７のＶａｒＭｅａｓＣｏｎｆｉｇ８６４内のｍｅａｓＩｄＬｉｓｔ８６５のｍｅａｓＩｄ８７８値を更新するステップ１７０４に対応しうる。
【０１３６】
方法１８００が開始しうる。ユーザ機器（ＵＥ）１０４は、ターゲットプライマリ周波数に対応するｍｅａｓＯｂｊｅｃｔＩｄ値がＶａｒＭｅａｓＣｏｎｆｉｇ８６４内のｍｅａｓＯｂｊＬｉｓｔに存在するかどうかを判断しうる（ステップ１８０２）。ターゲットプライマリ周波数に対応するｍｅａｓＯｂｊｅｃｔＩｄ値がＶａｒＭｅａｓＣｏｎｆｉｇ８６４内のｍｅａｓＯｂｊＬｉｓｔに存在する場合には、ユーザ機器（ＵＥ）１０４は、各ｍｅａｓＩｄ８７８につきリンク手順を行い（ステップ１８０４）、方法１８００は終了しうる。それ以外の場合には、ユーザ機器（ＵＥ）１０４は、ソースプライマリ周波数に対応するｍｅａｓＯｂｊｅｃｔＩｄ値にリンクされた全てのｍｅａｓＩｄ８７８を除去し（ステップ１８０６）、方法１８００は終了しうる。
【０１３７】
図１９は、リンク手順を行う方法１９００を示した流れ図である。方法１９００は、図１８のリンク手順を行うステップ１８０４に対応しうる。方法１９００は、ユーザ機器（ＵＥ）１０４により行われうる。ｅＮＢ１０２は、ユーザ機器（ＵＥ）１０４が方法１９００を行っているものと考え／みなしうる。方法１９００は、ＶａｒＭｅａｓＣｏｎｆｉｇ８６４内のｍｅａｓＩｄＬｉｓｔ８６５に含まれる各ｍｅａｓＩｄ８７８につき行われうる。
【０１３８】
ユーザ機器（ＵＥ）１０４は、ｍｅａｓＩｄ８７８に関連するＲｅｐｏｒｔＣｏｎｆｉｇ８８０がＣＳＩ‐ＲＳを対象とするかどうかを判断しうる（ステップ１９０２）。関連のＲｅｐｏｒｔＣｏｎｆｉｇ８８０がＣＳＩ‐ＲＳを対象とする場合、ユーザ機器（ＵＥ）１０４は、ｍｅａｓＩｄ８７８値を除去し（ステップ１９０４）、方法１９００は終了しうる。関連のＲｅｐｏｒｔＣｏｎｆｉｇ８８０がＣＳＩ‐ＲＳを対象としない場合、ユーザ機器（ＵＥ）１０４は、ｍｅａｓＩｄ８７８値がソースプライマリ周波数に対応するｍｅａｓＯｂｊｅｃｔＩｄ値にリンクされているかどうかを判断しうる（ステップ１９０６）。ｍｅａｓＩｄ８７８値がソースプライマリ周波数に対応するｍｅａｓＯｂｊｅｃｔＩｄ値にリンクされている場合、ユーザ機器（ＵＥ）１０４は、ｍｅａｓＩｄ８７８値をターゲットプライマリ周波数に対応するｍｅａｓＯｂｊｅｃｔＩｄ値にリンクし（ステップ１９０８）、方法１９００は終了しうる。
【０１３９】
ｍｅａｓＩｄ８７８値がソースプライマリ周波数に対応するｍｅａｓＯｂｊｅｃｔＩｄ値にリンクされていない場合、ユーザ機器（ＵＥ）１０４は、ｍｅａｓＩｄ８７８値がターゲットプライマリ周波数に対応するｍｅａｓＯｂｊｅｃｔＩｄ値にリンクされているかどうかを判断しうる（ステップ１９１０）。ｍｅａｓＩｄ８７８値がターゲットプライマリ周波数に対応するｍｅａｓＯｂｊｅｃｔＩｄ値にリンクされている場合、ユーザ機器（ＵＥ）１０４は、ｍｅａｓＩｄ８７８値をソースプライマリ周波数に対応するｍｅａｓＯｂｊｅｃｔＩｄ値にリンクし（ステップ１９１２）、方法１９００は終了しうる。ｍｅａｓＩｄ８７８値がターゲット周波数に対応するｍｅａｓＯｂｊｅｃｔＩｄ値にリンクされていない場合、方法１９００は終了する。
【０１４０】
一例として、方法１５００、１６００、１７００、１８００および１９００は、ハンドオーバまたは再確立時のアクションに用いられうる。この例では、ユーザ機器（ＵＥ）１０４が周波数間ハンドオーバまたは周波数間再確立（すなわちプライマリ周波数の変更）を行うときには、ソースプライマリ周波数に関係するチャネル状態情報リファレンス信号（ＣＳＩ‐ＲＳ）測定（すなわち測定識別）が除去されうる。ユーザ機器（ＵＥ）１０４が周波数内ハンドオーバまたは周波数内再確立を行う（すなわちプライマリ周波数の変更がない）ときには、ソースプライマリ周波数に関係するチャネル状態情報リファレンス信号（ＣＳＩ‐ＲＳ）ベースの測定が維持されうる。周波数間または周波数内ハンドオーバまたは再確立を行う間にチャネル状態情報リファレンス信号（ＣＳＩ‐ＲＳ）測定を用いることにより、これらの手順を行う間の測定識別の更新の効率を向上させることができる。
【０１４１】
図２０は、ハンドオーバまたは再確立時のアクションを行うさらに別の方法２０００を示した流れ図である。方法２０００は、図１６のハンドオーバまたは再確立時の追加のアクションを行うステップ１６０６に対応しうる。方法２０００は、ユーザ機器（ＵＥ）１０４により行われうる。ｅＮＢ１０２は、ユーザ機器（ＵＥ）１０４が方法２０００を行っているものと考え／みなしうる。
【０１４２】
方法２０００が開始しうる。ユーザ機器（ＵＥ）１０４は、手順（すなわち方法２０００）がハンドオーバまたは再確立成功に起因してトリガされたかどうか、および、手順がＰＣｅｌｌ１０７ａの変更に関わるかどうかを判断しうる。手順がハンドオーバまたは再確立成功に起因してトリガされ、手順がＰＣｅｌｌ１０７ａの変更に関わる場合には、ユーザ機器（ＵＥ）１０４は、ｍｅａｓＩｄ８７８値がソースＰＣｅｌｌ１０７ａ（例えばハンドオーバ失敗またはＥ‐ＵＴＲＡからのモビリティの失敗）または再確立のトリガが生じたＰＣｅｌｌ１０７ａのＣＳＩ‐ＲＳを対象とするｒｅｐｏｒｔＣｏｎｆｉｇ８８０にリンクされている場合には、ＶａｒＭｅａｓＣｏｎｆｉｇ８６４内のｍｅａｓＩｄＬｉｓｔ８６５から各ｍｅａｓＩｄ８７８を除去しうる（ステップ２００４）。その後、方法２０００は終了しうる。方法２０００が終了すると、図１７の方法１７００が行われうる。したがって、方法２０００は、図１７の方法１７００の前に行われうる追加の手順である。
【０１４３】
図２１は、リンク手順を行う別の方法２１００を示した流れ図である。方法２１００は、図１８のリンク手順を行うステップ１８０４に対応しうる。方法２１００は、ユーザ機器（ＵＥ）１０４により行われうる。ｅＮＢ１０２は、ユーザ機器（ＵＥ）１０４が方法２１００を行っているものと考え／みなしうる。方法２１００は、ＶａｒＭｅａｓＣｏｎｆｉｇ８６４内のｍｅａｓＩｄＬｉｓｔ８６５に含まれる各ｍｅａｓＩｄ８７８につき行われうる。
【０１４４】
ユーザ機器（ＵＥ）１０４は、ｍｅａｓＩｄ８７８値がソースプライマリ周波数に対応するｍｅａｓＯｂｊｅｃｔＩｄ値にリンクされているかどうかを判断しうる（ステップ２１０２）。ｍｅａｓＩｄ８７８値がソースプライマリ周波数に対応するｍｅａｓＯｂｊｅｃｔＩｄ値にリンクされている場合、ユーザ機器（ＵＥ）１０４は、ｍｅａｓＩｄ８７８値をターゲットプライマリ周波数に対応するｍｅａｓＯｂｊｅｃｔＩｄ値にリンクし（ステップ２１０４）、方法２１００は終了しうる。
【０１４５】
ｍｅａｓＩｄ８７８値がソースプライマリ周波数に対応するｍｅａｓＯｂｊｅｃｔＩｄ値にリンクされていない場合、ユーザ機器（ＵＥ）１０４は、ｍｅａｓＩｄ８７８値がターゲットプライマリ周波数に対応するｍｅａｓＯｂｊｅｃｔＩｄ値にリンクされているかどうかを判断しうる（ステップ２１０６）。ｍｅａｓＩｄ８７８値がターゲットプライマリ周波数に対応するｍｅａｓＯｂｊｅｃｔＩｄ値にリンクされている場合、ユーザ機器（ＵＥ）１０４は、ｍｅａｓＩｄ８７８値をソースプライマリ周波数に対応するｍｅａｓＯｂｊｅｃｔＩｄ値にリンクし（ステップ２１０８）、方法１９００は終了しうる。ｍｅａｓＩｄ８７８値がターゲット周波数に対応するｍｅａｓＯｂｊｅｃｔＩｄ値にリンクされていない場合、方法１９００は終了しうる。
【０１４６】
一例として、方法１５００、１６００、２０００、１７００、１８００および２１００は、ハンドオーバまたは再確立時のアクションに用いられうる。この例では、ユーザ機器（ＵＥ）１０４がセル間ハンドオーバまたはセル間再確立（例えばＰＣｅｌｌ１０７ａの変更）を行うときには、ソースＰＣｅｌｌ１０７ａに関係するチャネル状態情報リファレンス信号（ＣＳＩ‐ＲＳ）ベースの測定（すなわち測定識別）が除去される。セル間ハンドオーバは、セル内ハンドオーバ（例えばセルのセキュリティ更新のために使用されるハンドオーバ）を除く任意の通常のハンドオーバ動作でありうる。セル間再確立動作は、セル間ハンドオーバ失敗またはＥ‐ＵＴＲＡＮからのモビリティの失敗の場合にユーザ機器（ＵＥ）１０４がソースＰＣｅｌｌ１０７ａとは別のセルに戻る場合を含みうる。セル内再確立は、ユーザ機器（ＵＥ）１０４が無線リンク失敗、下位レイヤからのインテグリティチェックの失敗または無線リソース制御（ＲＲＣ）接続再構成手順失敗の検出に起因して再確立のトリガが生じたＰＣｅｌｌ１０７ａに戻る場合を含みうる。一部の構成では、ユーザ機器（ＵＥ）１０４がＰＣｅｌｌ１０７ａの変更を伴わずにセル内ハンドオーバまたはセル内再構成を行うときには、ソースＰＣｅｌｌ１０７ａに関係するチャネル状態情報リファレンス信号（ＣＳＩ‐ＲＳ）ベースの測定が保たれうる。セル内ハンドオーバまたはセル内再構成の間にチャネル状態情報リファレンス信号（ＣＳＩ‐ＲＳ）ベースの測定を保つことによって、測定識別の更新がより効率的になりうる。
【０１４７】
図２２は、ハンドオーバまたは再確立時のアクションを行う別の方法２２００を示した流れ図である。方法２２００は、図１５のハンドオーバまたは再確立時のアクションを行うステップ１５１０に対応しうる。方法２２００は、ユーザ機器（ＵＥ）１０４により行われうる。ｅＮＢ１０２は、ユーザ機器（ＵＥ）１０４が方法２２００を行っているものと考え／みなしうる。
【０１４８】
方法１６００が開始しうる。ユーザ機器（ＵＥ）１０４は、各ｍｅａｓＩｄ８７８につき、ｍｅａｓＩｄ８７８値がＣＳＩ‐ＲＳを対象とするｒｅｐｏｒｔＣｏｎｆｉｇ８８０にリンクされている場合、またはトリガタイプが周期的に設定されている場合に、ＶａｒＭｅａｓＣｏｎｆｉｇ８６４内のｍｅａｓＩｄＬｉｓｔ８６５からｍｅａｓＩｄ８７８を除去しうる（ステップ２２０２）。その後、ユーザ機器（ＵＥ）１０４は、ハンドオーバまたは再確立時の追加のアクションを行いうる（ステップ２２０４）。ハンドオーバまたは再確立時の追加のアクションを行うステップ２２０４は、図１７に関連して上述した。
【０１４９】
一例として、方法１５００、１７００、１８００、２１００および２２００が、ハンドオーバまたは再確立時のアクションに用いられうる。ユーザ機器（ＵＥ）１０４がハンドオーバ／再確立を行ったときは常に、ＣＳＩ‐ＲＳベースの測定（すなわちｍｅａｓＩｄ８７８）が除去されうる。
【０１５０】
上述の方法の一つの利点は、ＣＲＳベースの無線リソース管理（ＲＲＭ）測定に加えてＣＳＩ‐ＲＳベースの無線リソース管理（ＲＲＭ）測定が用いられるシナリオで、ｅＮＢ１０２およびユーザ機器（ＵＥ）１０４が効率的かつ持続可能に動作しうることである。ｅＮＢ１０２は、ユーザ機器（ＵＥ）１０４に関連するチャネルをより詳細に測定しうる。また、複数のサービングセルが構成されるときも、ＣＳＩ‐ＲＳベースの無線リソース管理（ＲＲＭ）測定が用いられうる。複数ポイント協調（ＣｏＭＰ）リソース管理（ＣＲＭ）セットのＣＳＩ‐ＲＳは、構成された全てのＣＳＩ‐ＲＳのサブセットでありうる。したがって、これらの方法は複数ポイント協調（ＣｏＭＰ）リソース管理（ＣＲＭ）セットのみに適用可能であるため、このようなＣＳＩ‐ＲＳについては、複数ポイント協調（ＣｏＭＰ）リソース管理（ＣＲＭ）セットの或るＣＳＩ‐ＲＳに置換することができる。
【０１５１】
セル固有のリファレンス信号（ＣＲＳ）は、共通リファレンス信号（ＲＳ）とも呼称されうる。無線リソース管理（ＲＲＭ）測定報告１２２は、測定報告または無線リソース制御（ＲＲＣ）レイヤ３５３での測定報告とも呼称されうる。ＣＳＩ‐ＲＳＲＰは、ＣＳＩ‐ＲＳ  ＲＳＲＰとも呼称されうる。ＣＳＩ‐ＲＳＲＱは、ＣＳＩ‐ＲＳ  ＲＳＲＱとも呼称されうる。さらに、記載のパラメータおよび信号要素に使用される様々な名称（例えばＣＳＩ‐ＲＳ、ＣＲＳ、ｃｓｉ‐ＲＳ‐Ｃｏｎｆｉｇ‐ｒ１１など）は、いかなる点においても限定を企図するものではなく、これらのパラメータおよび信号要素は任意の適切な名前で識別されればよい。
【０１５２】
図２３は、ユーザ機器（ＵＥ）２３０４において利用されうる様々な構成要素を示す。ユーザ機器（ＵＥ）２３０４は、先に示したユーザ機器（ＵＥ）１０４として利用されうる。ユーザ機器（ＵＥ）２３０４は、ユーザ機器（ＵＥ）２３０４の動作を制御するプロセッサ２３８７を含む。プロセッサ２３８７は、ＣＰＵとも呼称されうる。メモリ２３８１は、読取り専用メモリ（ＲＯＭ）、ランダムアクセスメモリ（ＲＡＭ）の両方または情報を記憶しうる任意のタイプのデバイスを含むことができ、プロセッサ２３８７に命令２３８２ａおよびデータ２３８３ａを提供する。メモリ２３８１の一部は、不揮発性ランダムアクセスメモリ（ＮＶＲＡＭ）も含みうる。命令２３８２ｂおよびデータ２３８３ｂは、プロセッサ２３８７内にもありうる。プロセッサ２３８７にロードされた命令２３８２ｂおよび／またはデータ２３８３ｂは、プロセッサ２３８７による実行または処理のためにロードされたメモリ２３８１からの命令２３８２ａおよび／またはデータ２３８３ａも含みうる。本明細書に開示されるシステムおよび方法を実装するために、プロセッサ２３８７により命令２３８２ｂが実行されうる。
【０１５３】
ユーザ機器（ＵＥ）２３０４は、データの伝送および受信を可能にするために伝送器２３４０および受信器２３３８を含むハウジングも含みうる。伝送器２３４０および受信器２３３８は、トランシーバ２３３７に組み合わせられうる。１つ以上のアンテナ２３１２ａ〜ｎがハウジングに取り付けられ、トランシーバ２３３７に電気的に結合される。
【０１５４】
ユーザ機器（ＵＥ）２３０４の様々な構成要素が、バスシステム２３８６により一緒に連結され、これにはデータバスに加えて、パワーバス、制御信号バス、およびステータス信号バスが含まれうる。しかし、明確のため、図２３においては様々なバスがバスシステム２３８６として示される。ユーザ機器（ＵＥ）２３０４は、信号処理に用いられるデジタル信号プロセッサ（ＤＳＰ）２３８４も含みうる。ユーザ機器（ＵＥ）２３０４は、ユーザ機器（ＵＥ）２３０４の機能に対するユーザアクセスを提供する通信インタフェース２３８５も含みうる。図２３に示したユーザ機器（ＵＥ）２３０４は、特定の構成要素のリストではなく機能ブロック図である。
【０１５５】
図２４は、ｅＮＢ２４０２において利用されうる様々な構成要素を示す。ｅＮＢ２４０２は、先に示したｅＮＢ１０２として利用されうる。ｅＮＢ２４０２は、プロセッサ２４８７、プロセッサ２４８７に命令２４８２ａおよびデータ２４８３ａを提供するメモリ２４８１、プロセッサ２４８７内にありまたはこれにロードされうる命令２４８２ｂおよびデータ２４８３ｂ、（トランシーバ２４３２に組み合わされうる）伝送器２４３５と受信器２４３３とを含むハウジング、トランシーバ２４３２に電気的に結合された１つ以上のアンテナ２４１０ａ〜ｎ、バスシステム２４８６、信号処理に用いられるＤＳＰ２４８４、通信インタフェース２４８５等を含めて、ユーザ機器（ＵＥ）２３０４に関して上述した構成要素と同様の構成要素を含みうる。
【０１５６】
図２５は、複数ポイント協調（ＣｏＭＰ）リソース管理（ＣＲＭ）測定のためのシステムおよび方法が実装されうるユーザ機器（ＵＥ）２５１８の一構成を示したブロック図である。ユーザ機器（ＵＥ）２５１８は、伝送手段２５４７、受信手段２５４９および制御手段２５４５を含む。伝送手段２５４７、受信手段２５４９および制御手段２５４５は、上の図１１および図２５と関連して記載された機能の１つ以上を行うように構成されうる。上の図２５は、図２５の具体的な装置構造の一例を示す。図２５の機能の１つ以上を実現するために、他の様々な構造が実装されうる。例えば、ソフトウェアによりＤＳＰが実現されうる。
【０１５７】
図２６は、複数ポイント協調（ＣｏＭＰ）無線リソース管理（ＲＲＭ）測定のためのシステムおよび方法が実装されうるｅＮＢ２６０２の一構成を示したブロック図である。ｅＮＢ２６０２は、伝送手段２６５１、受信手段２６５３および制御手段２６５５を含む。伝送手段２６５１、受信手段２６５３および制御手段２６５５は、上述の機能の１つ以上を行うように構成されうる。上の図２６は、図２６の具体的な装置構造の一例を示す。図２６の機能の１つ以上を実現するために、他の様々な構造が実装されうる。例えば、ソフトウェアによりＤＳＰが実現されうる。
【０１５８】
特に明記しない限り、以上における「／」の使用は、「および／または」の語句を表す。
【０１５９】
本明細書に記載される機能は、ハードウェア、ソフトウェア、ファームウェアまたはその任意の組み合わせにおいて実装されうる。ソフトウェアで実装される場合、機能は１つ以上の命令としてコンピュータ可読媒体に記憶されうる。「コンピュータ可読媒体」という用語は、コンピュータまたはプロセッサによりアクセスされうる任意の利用可能な媒体をいう。本明細書で用いられるところの「コンピュータ可読媒体」という用語は、固定有形のコンピュータおよび／またはプロセッサ可読媒体を意味しうる。限定ではなく例として、コンピュータ可読またはプロセッサ可読媒体は、ＲＡＭ、ＲＯＭ、ＥＥＰＲＯＭ、ＣＤ‐ＲＯＭもしくは他の光学ディスク記憶装置、磁気ディスク記憶装置もしくは他の磁気記憶デバイスまたは命令もしくはデータ構造の形で所望のプログラムコードを担持または記憶するために使用でき、コンピュータまたはプロセッサによってアクセスされうる任意の他の媒体を含みうる。本明細書で用いられるところのディスク（Ｄｉｓｋ）およびディスク（ｄｉｓｃ）は、コンパクトディスク（ＣＤ）、レーザーディスク、光ディスク、デジタル多用途ディスク（ＤＶＤ）、フロッピー（登録商標）ディスクおよびブルーレイ（登録商標）ディスクを含み、ディスク（ｄｉｓｋ）は通常磁気によりデータを再現し、ディスク（ｄｉｓｃ）はレーザで光学的にデータを再現する。
【０１６０】
本明細書において開示される方法の各々には、記載された方法を達成するための一つ以上のステップまたはアクションが含まれる。方法ステップおよび／またはアクションは、請求の範囲を逸脱することなく交換され、および／または一つのステップに組み合わされうる。換言すれば、記載される方法の適切な動作のためにステップまたはアクションの特定の順序が必要とされない限り、特定のステップおよび／またはアクションの順序および／または使用は、請求の範囲を逸脱することなく修正されうる。
【０１６１】
本明細書において用いられるところの「判断する」という用語は、多種多様なアクションを包含し、したがって「判断」には、計算、コンピューティング、処理、導出、調査、検索（たとえばテーブル、データベースまたは別のデータ構造の検索）、確認等を含みうる。また、「判断」には受信（例えば情報の受信）、アクセス（たとえばメモリのデータへのアクセス）などを含みうる。また、「判断」には、解決、選択、選定、確立などを含みうる。
【０１６２】
明示的に別段の定めがない限り、「にもとづく」という語句は「のみにもとづく」を意味しない。換言すれば、「にもとづく」という語句は、「のみにもとづく」と「少なくとも〜にもとづく」の両方を表す。
【０１６３】
「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、ステートマシンなどを包含するものとして広く解釈されねばならない。一部の状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などをさしうる。「プロセッサ」という用語は、処理デバイスの組み合わせ、たとえばＤＳＰとマイクロプロセッサとの組み合わせ、複数のマイクロプロセッサ、ＤＳＰコアを備えた１つ以上のマイクロプロセッサ、または任意の他のそのような構成をさしうる。
【０１６４】
「メモリ」という用語は、電子情報を記憶できる任意の電子構成要素を包含するものとして広く解釈されねばならない。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタ等、様々なタイプのプロセッサ可読媒体をさしうる。プロセッサがメモリから情報を読み取りおよび／またはメモリに情報を書き込むことができる場合、メモリはプロセッサと電子通信していると言われる。メモリはプロセッサと一体化されることができ、なおプロセッサと電子通信していると言うことができる。
【０１６５】
「命令」および「コード」という用語は、任意のタイプのコンピュータ可読ステートメント（単数または複数）を含むものとして広く解釈されねばならない。たとえば、「命令」および「コード」という用語は、一つ以上のプログラム、ルーチン、サブルーチン、関数、手続きなどをさしうる。「命令」および「コード」は、一つのコンピュータ可読ステートメントまたは多数のコンピュータ可読ステートメントを含みうる。
【０１６６】
ソフトウェアまたは命令は、伝送媒体を介して伝送されることもできる。たとえば、ソフトウェアが、ウェブサイト、サーバ、または他のリモートソースから同軸ケーブル、光ファイバケーブル、ツイストペア、デジタル加入者回線（ＤＳＬ）または赤外線、無線、およびマイクロ波等のワイヤレス技術を使用して伝送される場合には、同軸ケーブル、光ファイバケーブル、ツイストペア、ＤＳＬ、または赤外線、無線、およびマイクロ波等のワイヤレス技術が、伝送媒体の定義に含まれる。
【０１６７】
特許請求の範囲は、上述の正確な構成および構成要素に限定されないことを理解されたい。請求の範囲を逸脱することなく、本明細書に記載のシステム、方法、および装置の設定、動作および詳細につき様々な修正、変更および変形がなされうる。
【０１６８】
補足事項
測定識別手順を行う方法が記載される。チャネル状態情報リファレンス信号（ＣＳＩ‐ＲＳ）に関係するｍｅａｓＩｄの自律的除去が行われる。
ｍｅａｓＩｄの自律的除去を行うステップには、ｍｅａｓＩｄに対応するｒｅｐｏｒｔＣｏｎｆｉｇがＣＳＩ‐ＲＳに関わるイベントを対象とするかどうかを判断するステップが含まれうる。ｍｅａｓＩｄの自律的除去を行うステップには、ｍｅａｓＩｄに対応するｒｅｐｏｒｔＣｏｎｆｉｇがＣＳＩ‐ＲＳに関わるイベントを対象とする場合にＶａｒＭｅａｓＣｏｎｆｉｇ内のｍｅａｓＩｄＬｉｓｔからｍｅａｓＩｄを除去するステップも含まれうる。方法は、ＶａｒＭｅａｓＣｏｎｆｉｇ内のｍｅａｓＩｄＬｉｓｔの各ｍｅａｓＩｄにつき行われうる。方法は、ユーザ機器（ＵＥ）により行われうる。
ＳＣｅｌｌ解放手順が行われうる。ＳＣｅｌｌ追加／修正手順も行われうる。測定構成手順が、さらに行われうる。或るサービング周波数のＣＳＩ‐ＲＳに関係するｍｅａｓＩｄの自律的除去が、対象のサービング周波数が構成されていない場合に行われうる。或るサービングセルのＣＳＩ‐ＲＳに関係するｍｅａｓＩｄの自律的除去が、対象のサービングセルが構成されていない場合に行われうる。
測定手順を行う方法も記載される。ハンドオーバまたは再確立成功に起因するチャネル状態情報リファレンス信号（ＣＳＩ‐ＲＳ）に関係するｍｅａｓＩｄの除去が行われる。
除去は、ＰＣｅｌｌの変更に関わるハンドオーバまたは再確立成功に起因して行われうる。除去は、プライマリ周波数の変更に関わるハンドオーバまたは再確立成功に起因しても行われうる。
測定識別手順を行うために構成されたユーザ機器（ＵＥ）が記載される。ユーザ機器（ＵＥ）は、プロセッサおよびプロセッサと電子通信するメモリを含む。メモリに記憶された命令は、チャネル状態情報リファレンス信号（ＣＳＩ‐ＲＳ）に関係するｍｅａｓＩｄの自律的除去を行うために実行可能である。
測定手順を行うために構成されたユーザ機器（ＵＥ）も記載される。ユーザ機器（ＵＥ）は、プロセッサおよびプロセッサと電子通信するメモリを含む。メモリに記憶された命令は、ハンドオーバまたは再確立成功に起因したチャネル状態情報リファレンス信号（ＣＳＩ‐ＲＳ）に関係するｍｅａｓＩｄの除去を行うために実行可能である。
【図１】
2015526913.tif 000016
【図２】
2015526913.tif 000017
【図３】
2015526913.tif 000018
【図４】
2015526913.tif 000019
【図５】
2015526913.tif 000020
【図６】
2015526913.tif 000021
【図７】
2015526913.tif 000022
【図８】
2015526913.tif 000023
【図９】
2015526913.tif 000024
【図１０】
2015526913.tif 000025
【図１１】
2015526913.tif 000026
【図１２】
2015526913.tif 000027
【図１３】
2015526913.tif 000028
【図１４】
2015526913.tif 000029
【図１５】
2015526913.tif 000030
【図１６】
2015526913.tif 000031
【図１７】
2015526913.tif 000032
【図１８】
2015526913.tif 000033
【図１９】
2015526913.tif 000034
【図２０】
2015526913.tif 000035
【図２１】
2015526913.tif 000036
【図２２】
2015526913.tif 000037
【図２３】
2015526913.tif 000038
【図２４】
2015526913.tif 000039
【図２５】
2015526913.tif 000040
【図２６】
2015526913.tif 000041
【国際調査報告】
2015526913.tif 000042